(57)【要約】【課題】被清掃面の清掃性に優れる清掃シートを提供すること。【解決手段】複数のシート部分（２１，３１，５１，６１）のそれぞれの固定端部３が、第１方向Ｄ1に沿う方向に延びている固定端連結部７１により、ベースシート部分（１３ａ，１３ｂ）に連結されており、複数のシート部分（２１等）の少なくとも一部が、固定端連結部７１と平行な方向における、自由端部５の伸長長さが、固定端連結部７１と平行な方向における、固定端部３の長さよりも長くなるように構成されており、複数のシート部分（２１等）の少なくとも一部の自由端部５が、第２方向Ｄ2に往復しながら第１方向Ｄ1に沿う方向に延びているとともに、複数の自由端連結部分（７５ａ，７７ａ，７９ａ，８１ａ，８３ａ）を含む自由端連結部７３により、複数のシート部分（２１等）のうち、第２方向Ｄ2に隣接するシート部分の自由端部５に部分的に連結されていることを特徴とする清掃シート１。【選択図】図１
2020146443.tif 000002
【特許請求の範囲】
【請求項１】
ベースシート部分と、複数のシート部分とを備えている清掃シート部分を含むとともに、第１方向と、第１方向の周方向を構成する第２方向とを備えている清掃シートであって、
前記複数のシート部分が、第１方向に沿う方向に延びているとともに、それらのそれぞれが、固定端部と、自由端部とを備えており、
前記複数のシート部分のそれぞれの前記固定端部が、第１方向に沿う方向に延びている固定端連結部により、前記ベースシート部分に連結されており、
前記複数のシート部分の少なくとも一部が、前記固定端連結部と平行な方向における、前記自由端部の伸長長さが、前記固定端連結部と平行な方向における、前記固定端部の長さよりも長くなるように構成されており、
前記複数のシート部分の少なくとも一部の前記自由端部が、第２方向に往復しながら第１方向に沿う方向に延びているとともに、複数の自由端連結部分を含む自由端連結部により、前記複数のシート部分のうち、第２方向に隣接するシート部分の前記自由端部に部分的に連結されている、
ことを特徴とする、前記清掃シート。
【請求項２】
前記複数のシート部分が、それらの前記固定端部が一体化された一体化固定端部を備えており、前記一体化固定端部が、前記ベースシート部分に連結されている、請求項１に記載の清掃シート。
【請求項３】
前記ベースシート部分が、前記一体化固定端部により、ベースシート第１部分と、ベースシート第２部分とに区画されており、ベースシート第１部分及びベースシート第２部分により形成される前記清掃シート部分の清掃シート部分角度が１５０°以上且つ３６０°未満である、請求項２に記載の清掃シート。
【請求項４】
前記ベースシート部分に、清掃具又は使用者が把持するための把持部をさらに備えている、請求項１〜３のいずれか一項に記載の清掃シート。
【請求項５】
前記ベースシート部分が、前記一体化固定端部により、ベースシート第１部分と、ベースシート第２部分とに区画されており、ベースシート第１部分及びベースシート第２部分により形成される前記清掃シート部分の清掃シート部分角度が３６０°であり、ベースシート第１部分と、ベースシート第２部分との間に、清掃具又は使用者が把持するための把持部が形成されている、請求項２に記載の清掃シート。
【請求項６】
前記清掃シートが、前記清掃シート部分を複数備えており、複数の前記清掃シート部分が、前記ベースシート部分がお互いに向かい合うように連結されている、請求項１に記載の清掃シート。
【請求項７】
前記ベースシート部分同士の間に、清掃具又は使用者が把持するための把持部を備えている、請求項６に記載の清掃シート。
【請求項８】
前記把持部が、第１方向に開口している挿入口部を備えているとともに、第１方向と沿う方向に延びている、請求項７に記載の清掃シート。
【請求項９】
前記複数の清掃シート部分の少なくとも一部において、前記挿入口部が、前記複数のシート部分から第１方向に遠ざかるように延出している延出部を備えている、請求項８に記載の清掃シート。
【請求項１０】
前記複数の清掃シート部分のそれぞれにおいて、前記複数のシート部分が、それらの前記固定端部が一体化された一体化固定端部を備えており、前記一体化固定端部が、前記ベースシート部分に連結されている、請求項６〜９のいずれか一項に記載の清掃シート。
【請求項１１】
前記ベースシート部分と、前記複数のシート部分とのうち、隣接する２枚のシート部分の間に、清掃具又は使用者が把持するための把持部を備えている、請求項１〜１０のいずれか一項に記載の清掃シート。
【請求項１２】
前記清掃シートが、非展開状態を採ることができるように構成されている、請求項１〜１１のいずれか一項に記載の清掃シート。
【請求項１３】
前記複数のシート部分の少なくとも一部が、複数の折返し部により、第１方向に沿う方向に交互に折返されている、請求項１〜１２のいずれか一項に記載の清掃シート。
【請求項１４】
前記複数のシート部分の少なくとも一部が、第２方向の一方に突出する、複数の第１頂部であって、それらのそれぞれが第１頂面を備えているものと、第２方向の他方に突出する複数の第２頂部であって、それらのそれぞれが第２頂面を備えているものとを備えており、前記複数の自由端連結部分が、第１頂面及び第２頂面のそれぞれに配置されている、請求項１〜１３のいずれか一項に記載の清掃シート。
【請求項１５】
第１頂面及び第２頂面が属するシート部分において、前記複数の第１頂面の総面積が、前記シート部分の面積の５０％以上且つ１００％以下であり、そして前記複数の第２頂面の総面積が、前記シート部分の面積の５０％以上且つ１００％以下である、請求項１４に記載の清掃シート。
【請求項１６】
ベースシート部分と、複数のシート部分とを備えている清掃シート部分を含むとともに、第１方向と、第１方向の周方向を構成する第２方向とを備えている清掃シートであって、
前記複数のシート部分が、第１方向に沿う方向に延びているとともに、それらのそれぞれが、固定端部と、自由端部とを備えており、
前記複数のシート部分のそれぞれの前記固定端部が、第１方向に沿う方向に延びている固定端連結部により、前記ベースシート部分に連結されており、
前記複数のシート部分の少なくとも一部が、前記固定端連結部と平行な方向における、前記自由端部の伸長長さが、前記固定端連結部と平行な方向における、前記固定端部の長さよりも長くなるように構成されており、
前記複数のシート部分の少なくとも一部の前記自由端部が、自由端連結部により、前記複数のシート部分のうち、第２方向に隣接するシート部分の前記自由端部に連結されているとともに、往復構造を有する、
ことを特徴とする、前記清掃シート。
【請求項１７】
前記自由端連結部により連結されている２つのシート部分が、お互いに異なる前記往復構造を有する、請求項１６に記載の清掃シート。
【発明の詳細な説明】
【技術分野】
【０００１】
本開示は、清掃シートに関する。
【背景技術】
【０００２】
衛生意識の高まりから、使い捨てることが可能な清掃シートが市販されている。また、種々のタイプの清掃シートが開発されている。
例えば、特許文献１には、紙、不織布又はプラスチック樹脂からなり、ハニカム状、格子状等のセル壁で構成された立体状構造体の使い捨て清拭具、具体的には、紙、不織布又はプラスチック樹脂シートを、適宜の間隔で帯状の接着部分を設けて順次接着しながら多数枚積層し、得られた積層体の中心軸線側の端縁を接着した後、該積層体を３６０度拡げて該積層体の表裏面シートを接合することにより形成される使い捨て清拭具が開示されている。
【先行技術文献】
【特許文献】
【０００３】
【特許文献１】特開２０００−２２９０５３号公報
【発明の概要】
【発明が解決しようとする課題】
【０００４】
特許文献１に記載の使い捨て清拭具は、複数のシートを適宜の間隔で帯状の接着部分を設けて順次接着しながら多数枚積層することにより得られたものであり、複数のシートのうち、使い捨て清拭具の表面を構成する部分は、被清掃面の清掃に寄与しうるものの、複数のシートのうち、使い捨て清拭具の内部を構成する部分は、被清掃面の清掃に寄与しにくいものであった。
従って、本開示は、被清掃面の清掃性に優れる清掃シートを提供することを目的とする。
【課題を解決するための手段】
【０００５】
本開示者らは、ベースシート部分と、複数のシート部分とを備えている清掃シート部分を含むとともに、第１方向と、第１方向の周方向を構成する第２方向とを備えている清掃シートであって、上記複数のシート部分が、第１方向に沿う方向に延びているとともに、それらのそれぞれが、固定端部と、自由端部とを備えており、上記複数のシート部分のそれぞれの上記固定端部が、第１方向に沿う方向に延びている固定端連結部により、上記ベースシート部分に連結されており、上記複数のシート部分の少なくとも一部が、上記固定端連結部と平行な方向における、上記自由端部の伸長長さが、上記固定端連結部と平行な方向における、上記固定端部の長さよりも長くなるように構成されており、上記複数のシート部分の少なくとも一部の上記自由端部が、第２方向に往復しながら第１方向に沿う方向に延びているとともに、複数の自由端連結部分を含む自由端連結部により、上記複数のシート部分のうち、第２方向に隣接するシート部分の上記自由端部に部分的に連結されていることを特徴とする清掃シートを見出した。
【発明の効果】
【０００６】
本開示の清掃シートは、被清掃面の清掃性に優れる。
【図面の簡単な説明】
【０００７】
【図１】図１は、第１実施形態に従う清掃シート１を説明するための図である。
【図２】図２は、第１実施形態に従う清掃シート１を説明するための図である。
【図３】図３は、第１実施形態に従う清掃シート１を説明するための図である。
【図４】図４は、第１実施形態に従う清掃シート１を説明するための図である。
【図５】図５は、第１実施形態に従う清掃シート１を説明するための図である。
【図６】図６は、第１実施形態に従う清掃シート１を説明するための図である。
【図７】図７は、第１実施形態に従う清掃シート１を説明するための図である。
【図８】図８は、第１実施形態に従う清掃シート１を説明するための図である。
【図９】図９は、第１実施形態に従う清掃シート１を説明するための図である。
【図１０】図１０は、第２実施形態に従う清掃シート１を説明するための図である。
【図１１】図１１は、第２実施形態に従う清掃シート１を説明するための図である。
【図１２】図１２は、第２実施形態に従う清掃シート１を説明するための図である。
【図１３】図１３は、第３実施形態に従う清掃シート１を説明するための図である。
【図１４】図１４は、第３実施形態に従う清掃シート１を説明するための図である。
【図１５】図１５は、第３実施形態に従う清掃シート１を説明するための図である。
【図１６】図１６は、第４実施形態に従う清掃シート１を説明するための図である。
【図１７】図１７は、第４実施形態に従う清掃シート１を説明するための図である。
【図１８】図１８は、第４実施形態に従う清掃シート１を説明するための図である。
【図１９】図１９は、第４実施形態に従う清掃シート１を説明するための図である。
【図２０】図２０は、第５実施形態に従う清掃シート１を説明するための図である。
【図２１】図２１は、第５実施形態に従う清掃シート１を説明するための図である。
【図２２】図２２は、第６実施形態に従う清掃シート１を説明するための図である。
【図２３】図２３は、第６実施形態に従う清掃シート１を説明するための図である。
【図２４】図２４は、第７実施形態に従う清掃シート１を説明するための図である。
【図２５】図２５は、第７実施形態に従う清掃シート１を説明するための図である。
【図２６】図２６は、第７実施形態に従う清掃シート１用のハンディ用清掃具７５１を説明するための図である。
【図２７】図２７は、第８実施形態に従う清掃シート１を説明するための図である。
【図２８】図２８は、往復構造を説明するための図である。
【図２９】図２９は、シート部分を説明するための図である。
【発明を実施するための形態】
【０００８】
［定義］
・清掃シートに関する「非展開状態」及び「展開状態」
本明細書では、清掃シートに関する「非展開状態」及び「展開状態」のそれぞれは、原則として、清掃シートが、２つの異なる状態を採ることができる場合に用いられる用語である。
具体的には、「非展開状態」は、清掃シートが展開していない状態を意味し、保管時等にとる形態であり、そして「展開状態」は、清掃シートが、被清掃面の清掃に用いられる際の状態を意味する。
なお、本明細書では、清掃シートには、「非展開状態」を採らないものが含まれる。「非展開状態」を採らない清掃シートでは、特に言及がない場合であっても、清掃シートは、展開状態に相当する状態で説明がなされている。また、「非展開状態」を採らない清掃シートであっても、理解のしやすさの観点から、被清掃面の清掃に用いられる際の状態を、「展開状態」として説明される場合がある。
【０００９】
・「第１方向」、「第２方向」、「直交方向」及び「厚さ方向」
本明細書では、「第１方向」は、第１方向一方向と、第１方向他方向とに区画される。「第２方向」は、第１方向の周方向を構成する方向であり、第２方向一方向と、第２方向他方向とに区画される。「直交方向」は、第１方向と直交する方向であり、ベースシート部分上に配置される。「直交方向」は、直交方向一方向と、直交方向他方向とに区画される。「厚さ方向」は、第１方向及び直交方向と直交する方向である。「厚さ方向」は、厚さ方向一方向と、厚さ方向他方向とに区画される。
【００１０】
・複数のシート部分に関する、「固定端部」、「中央部」及び「自由端部」
本明細書では、複数のシート部分に関する「固定端部」、「中央部」及び「自由端部」は、複数のシート部分のそれぞれが、第１方向と直交する直交面と交差する交差部分を区画する用語である。
なお、上記「自由端部」と、「固定端部」とは、それぞれ、上記交差部分において、被清掃面側の端部領域と、その反対側の端部領域とを意味し、「中央部」は、上記「自由端部」及び「固定端部」の間の領域を意味する。
【００１１】
上記「固定端部」、「中央部」及び「自由端部」は、それぞれ、上記複数のシート部分のそれぞれにおいて、上記交差部分が、好ましくは４０％：２０％：４０％の長さ比、より好ましくは３０％：４０％：３０％の長さ比、そしてさらにいっそう好ましくは２０％：６０％：２０％の長さ比で区画された領域を意味する。
なお、複数のシート部分の少なくとも一部が、第１方向において、交差部分の長さが一定ではない場合（第１方向の位置が異なる場合に、交差部分の長さが異なる場合）には、上記「固定端部」、「中央部」及び「自由端部」の長さも一定ではない。
なお、本明細書では、ベースシート部分の、隣接するシート部分の固定端部、中央部及び自由端部に相当する部分を、それぞれ、ベースシート部分の固定端部、中央部及び自由端部と称する。
【００１２】
・複数のシート部分に関する「往復構造」
本明細書では、「往復構造」は、複数のシート部分の少なくとも一部が採る構造を意味する。上記「往復構造」は、複数のシート部分を構成するシート部分の自由端部が、第１方向に沿う方向（好ましくは第１方向）において、第２方向の一方（第２方向一方向）及び他方（第２方向他方向）に往復すること（好ましくは、複数回往復すること）を意味する。
【００１３】
上記往復構造は、シート部分の自由端部側の端縁が波形を形成するものに限定されるものではないが、理解のしやすさの観点から、波長、波高、周期等の文言を用いて説明される場合がある。なお、波長は、シート部分の自由端部側の端縁において、往復構造のあるサイクルの基準点から、往復方向の次のサイクルの基準点までの長さ（例えば、図２８に示される、第１サイクル８０１の最も第２方向一方向Ｄ21よりの第１部分８０５から、第１サイクル８０１に隣接する第２サイクル８０３の最も第２方向一方向Ｄ21よりの第２部分８０７までの距離Ｍ）を意味する。また、波高は、往復構造のあるサイクルにおける、第２方向の最大長さ（例えば、図２８に示される、第１サイクル８０１の最大長さＮ）を意味する。
さらに、上記往復構造において、位相が異なるとは、複数のシート部分（例えば、隣接する２つのシート部分）の間で、往復構造の基準点（例えば、最も第２方向一方向よりの部分）の位置が、第１方向に沿う方向（好ましくは第１方向）においてずれていることを意味する。
【００１４】
本明細書では、一方のシート部分の往復構造と、他方のシート部分の往復構造とが異なるとは、上述の波長、波高及び位相の少なくとも１つが異なることを意味し、好ましくは位相が異なり、より好ましくは位相及び波長が異なり、そしてさらに好ましくは位相、波長及び波高が異なる。本開示の効果の観点からである。
なお、上記往復構造を構成するシート部分を、「壁面」と称する場合がある。
【００１５】
・「清掃シート部分角度」
本明細書では、「清掃シート部分角度」は、展開状態における清掃シートの清掃シート部分が、第２方向に有する角度を意味する。例えば、清掃シートが、単一の清掃シート部分を備えている場合には、清掃シート部分角度は、ベースシート部分が、複数のシート部分を間に挟んで形成する角度を意味する。なお、ベースシート部分が、平面上にある場合には、清掃シート部分角度は、１８０°である。
また、例えば、清掃シートが複数の清掃シート部分を備えている場合には、複数の清掃シート部分のそれぞれが、清掃シート部分角度を有する。
【００１６】
・シート部分に関する「冗長度」
本明細書では、シート部分に関する冗長度は、所定の方向におけるシート部分の実際の長さ（例えば、折返されているシート部分の、折返しを解除した状態における長さ）を、所定の方向におけるシート部分の見かけ長さ（例えば、折返されているシート部分の、折返された状態における長さ）で除した値を意味する。上記所定の方向としては、第１方向に沿う方向、第１方向等が挙げられる。
冗長度を高くすることにより、清掃シートを構成する複数のシート部分の往復構造の波長、波高等が大きくなる傾向があり、そして清掃シート部分角度（より正確には、シート部分１枚当たりの清掃シート部分角度）が大きくなる傾向がある。
【００１７】
・「所定の方向に沿う方向」
本明細書では、「所定の方向に沿う方向」とは、所定の方向と、好ましくは４５°未満、より好ましくは３０°以下、さらに好ましくは２０°以下、そしてさらにいっそう好ましくは５°以下の交差角を有する方向を意味する。
なお、本明細書では、「所定の方向と平行な方向」とは、所定の方向との交差角が５°以下である方向を意味する。
上記所定の方向としては、例えば、第１方向、直交方向、厚さ方向、第２方向等が挙げられる。
【００１８】
・複数のシート部分に関する「内方」及び「外方」
本明細書において、複数のシート部分に関する「内方」及び「外方」は、複数のシート部分の相対的な位置を示す用語である。
具体的には、あるシート部分が、他のシート部分よりも内方に配置されていることは、あるシート部分が、他のシート部分よりもベースシート部分から遠いことを意味する。同様に、あるシート部分が、他のシート部分よりも外方に配置されていることは、あるシート部分が、他のシート部分よりもベースシート部分に近いことを意味する。
【００１９】
・複数のシート部分に関する「外面」及び「内面」
本明細書において、複数のシート部分のそれぞれに関する「外面」及び「内面」は、それぞれ、ベースシート部分側の面（ベースシート部分が複数存在する場合には、最も近いベースシート部分側の面）及びその反対面を意味する。
【００２０】
・固定端連結部と平行な方向における、自由端部の「伸長長さ」及び固定端部の「長さ」
本明細書において、固定端連結部と平行な方向における、自由端部の「伸長長さ」は、自由端部を伸長させ、後述の「往復構造」を解除した状態における、自由端部の、固定端連結部と平行な方向の長さを意味する。
本明細書において、固定端連結部と平行な方向における、固定端部の「長さ」は、その字句通り、固定端部の、固定端連結部と平行な方向の長さを意味する。
【００２１】
具体的には、本開示は以下の態様に関する。
［態様１］
ベースシート部分と、複数のシート部分とを備えている清掃シート部分を含むとともに、第１方向と、第１方向の周方向を構成する第２方向とを備えている清掃シートであって、
上記複数のシート部分が、第１方向に沿う方向に延びているとともに、それらのそれぞれが、固定端部と、自由端部とを備えており、
上記複数のシート部分のそれぞれの上記固定端部が、第１方向に沿う方向に延びている固定端連結部により、上記ベースシート部分に連結されており、
上記複数のシート部分の少なくとも一部が、上記固定端連結部と平行な方向における、上記自由端部の伸長長さが、上記固定端連結部と平行な方向における、上記固定端部の長さよりも長くなるように構成されており、
上記複数のシート部分の少なくとも一部の上記自由端部が、第２方向に往復しながら第１方向に沿う方向に延びているとともに、複数の自由端連結部分を含む自由端連結部により、上記複数のシート部分のうち、第２方向に隣接するシート部分の前記自由端部に部分的に連結されている、
ことを特徴とする、上記清掃シート。
【００２２】
上記清掃シートでは、清掃シートを構成する清掃シート部分において、上記複数のシート部分のそれぞれの固定端部が、第１方向に沿う方向に延びている固定端連結部によりベースシート部分に連結されており、上記複数のシート部分の少なくとも一部が、上記固定端連結部と平行な方向における、上記自由端部の伸長長さが、上記固定端連結部と平行な方向における、上記固定端部の長さよりも長くなるように構成される「自由端部伸長長さ構造」と、複数のシート部分の少なくとも一部の自由端部が、第２方向一方向及び第２方向他方向に交互に往復する「往復構造」と、当該往復構造が、第２方向に隣接するシート部分に部分的に連結される「部分的連結構造」とを備えている。
【００２３】
従って、例えば、被清掃面が平面である場合には、複数のシート部分が、上述の「自由端部伸長長さ構造」と、「往復構造」と、「部分的連結構造」とに起因して、被清掃面に接触した際に不規則に変形し、複数のシート部分のある領域（以下、「第１領域」と称する）を露出させ、当該第１領域が被清掃面に接触し、当該第１領域が被清掃面を清掃することができる。
【００２４】
清掃シートを被清掃面から離間させると、複数のシート部分が、往復構造に起因するそれらの復元力、並びにそれらが部分的に連結していることに起因して、清掃シートが、元の形状に戻ることができる（以下、清掃シートが元の形状に戻ることを「形状回復性」と称する場合がある）。
次いで、清掃シートの同じ面を被清掃面に再度接触させると、複数のシート部分が不規則に変形し、第１領域と異なる領域（以下、「第２領域」と称する）を露出させ、当該第２領域が被清掃面に接触し、当該第２領域が被清掃面を清掃することができる。
【００２５】
このように、上記清掃シートは、清掃シートを被清掃面に接触させる、次いで離間させる運動を繰り返す場合であっても、複数のシート部分の新たな領域を露出させ、当該新たな領域を用いて被清掃面を清掃することができるので、清掃シートが、被清掃面の清掃性に優れる（以下、清掃シートが、複数のシート部分の新たな領域を露出させることを、「新領域露出性」と称する場合がある）。
また、上記清掃シートを、被清掃面に接触させながら、清掃シートを左右に動かした場合であっても、複数のシート部分が新領域露出性を発揮し、被清掃面を清掃することができる。
【００２６】
また、被清掃面が立体面（例えば、凹凸面）である場合にも、清掃シートを、被清掃面に接触させた際に、複数のシート部分が、被清掃面の立体面の形状に追従することができるとともに、清掃シートを動かした際に、清掃シートが、その柔らかさ及び形状回復性を発揮して被清掃面の形状に追従することができる。また、上記清掃シートは、清掃シートを動かす際に、新領域露出性を発揮し、新たな領域を用いて、被清掃面を清掃することができる。
以上より、上記清掃シートは、被清掃面の清掃性に優れる。
【００２７】
なお、上記複数のシート部分が、上述の自由端部伸長長さ構造を有しない場合、例えば、上記自由端部の伸長長さが、上記固定端部の長さと同一になるように構成されている場合には、複数のシート部分が、被清掃面に接触した際に不規則に変形しにくく、上述の新領域露出性を発揮しにくい傾向がある。
【００２８】
［態様２］
上記複数のシート部分が、それらの上記固定端部が一体化された一体化固定端部を備えており、上記一体化固定端部が、上記ベースシート部分に連結されている、態様１に記載の清掃シート。
【００２９】
上記清掃シートでは、複数のシート部分が、一体化固定端を介してベースシート部分に固定されているため、ベースシート部分の一体化固定端と連結していない部分が柔らかさに優れ、清掃シートが、被清掃面に応じて変形しやすくなり、被清掃面を傷つけにくくなる。
【００３０】
［態様３］
上記ベースシート部分が、上記一体化固定端部により、ベースシート第１部分と、ベースシート第２部分とに区画されており、ベースシート第１部分及びベースシート第２部分により形成される上記清掃シート部分の清掃シート部分角度が１５０°以上且つ３６０°未満である、態様２に記載の清掃シート。
【００３１】
上記清掃シートでは、清掃シート部分角度が所定の範囲にあるため、清掃シートを用いて、広い被清掃面を簡易に清掃することができ、上記清掃シートが、被清掃面の清掃性に優れる。
【００３２】
［態様４］
上記ベースシート部分に、清掃具又は使用者が把持するための把持部をさらに備えている、態様１〜３のいずれか一項に記載の清掃シート。
【００３３】
上記清掃シートは、所定の把持部を備えているので、清掃シートを用いる際に、清掃シートの形状が保持されやすく、ひいては清掃シートが、被清掃面の清掃性に優れる。
【００３４】
［態様５］
上記ベースシート部分が、上記一体化固定端部により、ベースシート第１部分と、ベースシート第２部分とに区画されており、ベースシート第１部分及びベースシート第２部分により形成される上記清掃シート部分の清掃シート部分角度が３６０°であり、ベースシート第１部分と、ベースシート第２部分との間に、清掃具又は使用者が把持するための把持部が形成されている、態様２に記載の清掃シート。
【００３５】
上記清掃シートは、清掃シート部分角度が３６０°であるとともに、ベースシート第１部分と、ベースシート第２部分との間に、清掃具又は使用者が把持するための把持部が形成されている。従って、使用者が、清掃具を上記把持部に差し込んで、又は使用者が、身体の一部（例えば、手、脚等）を上記把持部に差し込んで、清掃シートを用いて、広い清掃面を簡易に清掃することができ、上記清掃シートが、被清掃面の清掃性に優れる。
【００３６】
［態様６］
上記清掃シートが、上記清掃シート部分を複数備えており、複数の上記清掃シート部分が、上記ベースシート部分がお互いに向かい合うように連結されている、態様１に記載の清掃シート。
【００３７】
上記清掃シートは、複数の清掃シート部分を含むとともに、ベースシート部分同士が連結されている。従って、複数の清掃シート部分が、第２方向に拡がる、すなわち、清掃シートが、清掃シート部分角度を大きくすることができ、清掃シートを用いて、広い清掃面を簡易に清掃することができ、上記清掃シートが、被清掃面の清掃性に優れる。
【００３８】
［態様７］
上記ベースシート部分同士の間に、清掃具又は使用者が把持するための把持部を備えている、態様６に記載の清掃シート。
【００３９】
上記清掃シートは、ベースシート部分同士の間に、所定の把持部を備えているので、使用者が、清掃具を上記把持部に差し込んで、又は使用者が、身体の一部を上記把持部に差し込んで、清掃シートを用いることができ、ひいては、上記清掃シートが、被清掃面の清掃性に優れる。
【００４０】
［態様８］
上記把持部が、第１方向に開口している挿入口部を備えているとともに、第１方向と沿う方向に延びている、態様７に記載の清掃シート。
【００４１】
上記清掃シートでは、上記把持部が、第１方向に開口している挿入口部を備えているとともに、第１方向に延びているので、清掃具又は使用者の身体の一部が、清掃シートの第１方向に配置されることになる。従って、清掃具を把持部に差し込んで清掃シートを用いる場合には、使用者が、清掃具を把持部に差し込みやすく、そして清掃シートを用いて清掃する際に、清掃具が被清掃面に接触しにくくなる。また、使用者が身体の一部を把持部に差し込んで清掃シートを用いる場合には、使用者が、身体の一部を把持部に差し込みやすく、そして清掃シートを用いた清掃の際に、使用者の身体の一部が被清掃面に接触しにくくなる。
【００４２】
［態様９］
上記複数の清掃シート部分の少なくとも一部において、上記挿入口部が、上記複数のシート部分から第１方向に遠ざかるように延出している延出部を備えている、態様８に記載の清掃シート。
【００４３】
上記清掃シートは、所定の延出部を備えている。従って、清掃具を把持部に差し込んで清掃シートを用いる場合には、使用者が、清掃具を把持部に差し込みやすく、そして使用者が身体の一部を把持部に差し込んで清掃シートを用いる場合には、使用者が、身体の一部を把持部に差し込みやすい。
【００４４】
［態様１０］
上記複数の清掃シート部分のそれぞれにおいて、上記複数のシート部分が、それらの上記固定端部が一体化された一体化固定端部を備えており、上記一体化固定端部が、上記ベースシート部分に連結されている、態様６〜９のいずれか一項に記載の清掃シート。
【００４５】
上記清掃シートでは、複数の清掃シート部分のそれぞれにおいて、複数のシート部分が、一体化固定端を介してベースシート部分に固定されているため、ベースシート部分の一体化固定端と連結していない部分が柔らかさに優れ、清掃シートが、被清掃面に応じて変形しやすくなり、被清掃面を傷つけにくくなる。
【００４６】
［態様１１］
上記ベースシート部分と、上記複数のシート部分とのうち、隣接する２枚のシート部分の間に、清掃具又は使用者が把持するための把持部を備えている、態様１〜１０のいずれか一項に記載の清掃シート。
【００４７】
上記清掃シートは、所定の把持部を備えているので、使用者が、清掃具を上記把持部に差し込んで、又は使用者が、身体の一部を上記把持部に差し込んで、上記清掃シートを用いることができ、ひいては、上記清掃シートが、被清掃面の清掃性に優れる。
【００４８】
［態様１２］
上記清掃シートが、非展開状態を採ることができるように構成されている、態様１〜１１のいずれか一項に記載の清掃シート。
【００４９】
上記清掃シートは、非展開状態を採ることができるように構成されているので、使用前又は使用後に清掃シートをコンパクト化することができる。
【００５０】
［態様１３］
上記複数のシート部分の少なくとも一部が、複数の折返し部により、第１方向に沿う方向に交互に折返されている、態様１〜１２のいずれか一項に記載の清掃シート。
【００５１】
上記清掃シートは、複数のシート部分の少なくとも一部が折返されているため、折返されたシート部分が、第２方向により拡がることができ、ひいては少ない枚数のシート部分で、清掃シート部分角度をより大きくすることができる。
【００５２】
［態様１４］
上記複数のシート部分の少なくとも一部が、第２方向の一方に突出する、複数の第１頂部であって、それらのそれぞれが第１頂面を備えているものと、第２方向の他方に突出する複数の第２頂部であって、それらのそれぞれが第２頂面を備えているものとを備えており、上記複数の自由端連結部分が、第１頂面及び第２頂面のそれぞれに配置されている、態様１〜１３のいずれか一項に記載の清掃シート。
【００５３】
上記清掃シートでは、自由端連結部を構成する複数の自由端連結部分が、第１頂面及び第２頂面のそれぞれに配置されているので、清掃シートにおいて、立体構造を形成する開口部を大きくすることができるとともに、複数のシート部分を、第２方向により展開することができ、ひいては少ない枚数のシート部分で、清掃シート部分角度をより大きくすることができる。
【００５４】
［態様１５］
第１頂面及び第２頂面が属するシート部分において、上記複数の第１頂面の総面積が、上記シート部分の面積の５０％以上且つ１００％以下であり、そして上記複数の第２頂面の総面積が、上記シート部分の面積の５０％以上且つ１００％以下である、態様１４に記載の清掃シート。
【００５５】
上記清掃シートでは、第１頂面の総面積及び第２頂面の総面積が、所定の範囲にあるため、自由端連結部を構成する複数の自由端連結部分を配置する自由度が高く、清掃シート部分角度をより大きくすることができる。
また、連結部が接着剤による接着部である場合には、接着剤の移動、位置ずれ等により、第１頂面及び第２頂面以外のところに接着剤が存在しにくくなる。
【００５６】
［態様１６］
ベースシート部分と、複数のシート部分とを備えている清掃シート部分を含むとともに、第１方向と、第1方向の周方向を構成する第２方向とを備えている清掃シートであって、
上記複数のシート部分が、第１方向に沿う方向に延びているとともに、それらのそれぞれが、固定端部と、自由端部とを備えており、
上記複数のシート部分のそれぞれの上記固定端部が、第１方向に沿う方向に延びている固定端連結部により、上記ベースシート部分に連結されており、
上記複数のシート部分の少なくとも一部が、上記固定端連結部と平行な方向における、上記自由端部の伸長長さが、上記固定端連結部と平行な方向における、上記固定端部の長さよりも長くなるように構成されており、
上記複数のシート部分の少なくとも一部の上記自由端部が、自由端連結部により、上記複数のシート部分のうち、第２方向に隣接するシート部分の上記自由端部に連結されているとともに、往復構造を有する、
ことを特徴とする、上記清掃シート。
上記清掃シートは、態様１に記載の清掃シートと同様の効果を有する。
【００５７】
［態様１７］
上記自由端連結部により連結されている２つのシート部分が、お互いに異なる上記往復構造を有する、態様１６に記載の清掃シート。
上記清掃シートでは、自由端連結部により連結されている２つのシート部分が、お互いに異なる往復構造を有するので、清掃シートが、新領域露出性に優れ、被清掃面の清掃性に優れる。
【００５８】
本開示の清掃シートについて、以下、詳細に説明する。
＜＜第１実施形態＞＞
図１〜図９は、本開示の実施形態の１つ（以下、「第１実施形態」と称する）に従う清掃シート１を説明するための図である。具体的には、図１は、ハンディ用清掃具２５１に取り付けられた、展開状態における清掃シート１の正面、底面及び右側面側の斜視図である。図２は、ハンディ用清掃具２５１に取り付けられた、展開状態における清掃シート１の背面、底面及び左側面側の斜視図である。図３及び図４は、それぞれ、ハンディ用清掃具２５１に取り付けられた、展開状態における清掃シート１の正面図及び背面図である。図５は、非展開状態における清掃シート１の正面、平面及び左側面側の斜視図である。図６は、第２シート部分３１を説明するための図である。図７は、第１シート部分２１を説明するための図である。図８は、非展開状態における清掃シート１の左側面図である。図９は、清掃シート１の製造方法を説明するための図である。
【００５９】
なお、展開状態における清掃シート１では、厚さ方向一方向Ｔ1の下手、厚さ方向他方向Ｔ2の下手、第１方向一方向Ｄ11の下手、及び第１方向他方向Ｄ12の下手から清掃シート１を観察した状態を、それぞれ、正面、背面、平面及び底面として取り扱う。
また、非展開状態における清掃シート１では、ベースシート第１部分１３ａの側を正面とし、ベースシート第２部分１３ｂ側を背面とする以外は、展開状態における清掃シート１と同様である。
【００６０】
第１実施形態に従う清掃シート１は、ハンディ用清掃具２５１に取り付けられて用いられる清掃シートである。また、第１実施形態に従う清掃シート１は、薬液を含む、ウェット型の清掃シートである。清掃シート１は、非展開状態と、展開状態とを形成することができ、具体的には、展開状態における、単一の清掃シート部分１７と、非展開状態における、単一の積層構造９とを形成することができる。
【００６１】
展開状態における清掃シート１（清掃シート部分１７）は、第１方向Ｄ1、直交方向ＤC及び厚さ方向Ｔと、第１方向Ｄ1の周方向を構成する第２方向Ｄ2とを有する。第１方向Ｄ1は、お互いに反対方向である第１方向一方向Ｄ11と、第１方向他方向Ｄ12とに区画され、直交方向ＤCは、お互いに反対方向である直交方向一方向ＤC1と、直交方向他方向ＤC2とに区画され、厚さ方向Ｔは、お互いに反対方向である厚さ方向一方向Ｔ1と、厚さ方向他方向Ｔ2とに区画される。第２方向Ｄ2は、お互いに反対方向である第２方向一方向Ｄ21と、第２方向他方向Ｄ22とに区画される。なお、第２方向Ｄ2は、平面視において直交方向ＤCと一致する。
【００６２】
なお、非展開状態における清掃シート１（積層構造９）は、展開状態における清掃シート１（清掃シート部分１７）と、後述する、ベースシート第２部分１３ｂが同一の方向を有するように、第１方向Ｄ1、直交方向ＤC及び厚さ方向Ｔ、並びに第２方向Ｄ2を有している。
【００６３】
非展開状態において、積層構造９は、固定端部３及び自由端部５を有し、固定端部３及び自由端部５のそれぞれは、第１方向Ｄ1と平行な方向に延びており、固定端部３及び自由端部５は、中央部７を間に挟んで、直交方向ＤCに離間して配置されている。
【００６４】
非展開状態における清掃シート１（積層構造９，図５を参照）は、固定端部３を軸として、自由端部５を第２方向Ｄ2に展開することにより、展開状態における清掃シート１（清掃シート部分１７，図１〜図４を参照）を形成し、展開状態における清掃シート１が、被清掃面の清掃に用いられる。なお、第１実施形態に従う清掃シート１では、清掃シート部分１７が、展開状態において、約１８０°の清掃シート部分角度を有する。換言すると、展開状態における清掃シート１（清掃シート部分１７）は、第２方向Ｄ2に畳むことにより、非展開状態における清掃シート１（積層構造９）を形成することができる。
【００６５】
積層構造９では、複数のシート部分は、厚さ方向一方向Ｔ1において、順番に、ベースシート第１部分１３ａ、第１シート部分２１、第２シート部分３１、第３シート部分５１、第４シート部分６１、及びベースシート第２部分１３ｂから構成されている。ベースシート第１部分１３ａは、第１シート部分２１と反対側の面に配置された、把持部９１を形成するための把持部形成用シート第１部分１１ａを備えている。また、ベースシート第２部分１３ｂは、第４シート部分６１と反対側の面に配置された、把持部９１を形成するための把持部形成用シート第２部分１１ｂを備えている。
【００６６】
なお、第１シート部分２１、第２シート部分３１、第３シート部分５１及び第４シート部分６１のそれぞれでは、後述の固定端連結部７１と平行な方向（第１方向Ｄ1）における、自由端部５の伸長長さが、固定端連結部７１と平行な方向（第１方向Ｄ1）における、固定端部３の長さよりも長い。
【００６７】
把持部形成用シート第１部分１１ａ、第１シート部分２１、第２シート部分３１、第３シート部分５１、第４シート部分６１、及び把持部形成用シート第２部分１１ｂのそれぞれは、熱融着性繊維と、保水性繊維とを含むスパンレース不織布から構成されており、薬液を含んでいる。また、ベースシート第１部分１３ａ及びベースシート第２部分１３ｂは、熱融着性繊維からなるスパンボンド不織布から構成されている。
【００６８】
図６に示されるように、第２シート部分３１は、直交方向ＤCに延びている複数の折返し部（符号を付していない）により、第１方向Ｄ1に交互に折返されており、厚さ方向一方向Ｔ1に突出する、複数の第２シート部分第１頂部３３であって、それらのそれぞれが第２シート部分第１頂面３３ａを備えているものと、厚さ方向他方向Ｔ2に突出する複数の第２シート部分第２頂部３５であって、それらのそれぞれが第２シート部分第２頂面３５ａを備えているものとを備えている。
【００６９】
換言すると、第２シート部分３１は、厚さ方向一方向Ｔ1に突出する、複数のΩ1構造と、厚さ方向他方向Ｔ2に突出する、複数のΩ2構造、具体的には、厚さ方向一方向Ｔ1に突出する、複数の第２Ω1構造３７と、厚さ方向他方向Ｔ2に突出する、複数の第２Ω2構造３９とを有しており、複数の第２Ω1構造３７は、第１方向Ｄ1に連続しており、複数の第２Ω2構造３９は、第１方向Ｄ1に連続している。また、複数の第２Ω1構造３７のそれぞれと、複数の第２Ω2構造３９のそれぞれとは、向きは逆であるが同一の形状（第２Ω1構造３７を基準とすると、「第２Ω2構造３９＝第２Ω1構造３７」となる。）を有し、第１方向Ｄ1に交互に配置されている。
なお、展開状態における清掃シート１では、厚さ方向一方向Ｔ1に突出する、複数の第２Ω1構造３７と、厚さ方向他方向Ｔ2に突出する、複数の第２Ω2構造３９とは、それぞれ、第２方向一方向Ｄ21及び第２方向他方向Ｄ22に突出する。
【００７０】
具体的には、複数の第２Ω1構造３７のそれぞれは、第２シート部分第１頂面３３ａと、第２シート部分第１頂面３３ａの両端から延びている、一対の第１壁部４１と、一対の第１壁部４１の端縁から延びている、一対の第１底部４３とを備えている。また、複数の第２Ω2構造３９のそれぞれは、第２シート部分第２頂面３５ａと、第２シート部分第２頂面３５ａの両端から延びている、一対の第２壁部４５と、一対の第２壁部４５の端縁から延びている、一対の第２底部４７とを備えている。
【００７１】
複数の第２Ω1構造３７のそれぞれにおける一対の第１底部４３は、第２Ω2構造３９の第２シート部分第２頂面３５ａを構成し、そして複数の第２Ω2構造３９のそれぞれにおける一対の第２底部４７は、第２Ω1構造３７の第２シート部分第１頂面３３ａを構成する。
【００７２】
第２Ω1構造３７のそれぞれにおいて、第２シート部分第１頂面３３ａと、一対の第１壁部４１のそれぞれと、一対の第１底部４３のそれぞれとは、２：１：１の長さ比（第１方向Ｄ1における長さ比）を有している。従って、平面視（第２シート部分第１頂面３３ａ側からの平面視）において、第２シート部分第１頂面３３ａの総面積は、第２シート部分３１の面積の略１００％である。
【００７３】
また、第２Ω2構造３９のそれぞれにおいて、第２シート部分第２頂面３５ａと、一対の第２壁部４５のそれぞれと、一対の第２底部４７のそれぞれとは、２：１：１の長さ比（第１方向Ｄ1における長さ比）を有している。従って、平面視（第２シート部分第２頂面３５ａ側からの平面視）において、第２シート部分第２頂面３５ａの総面積は、第２シート部分３１の面積の略１００％である。また、第２シート部分３１の冗長度は、３．０である。
【００７４】
第２シート部分３１は、上述の複数の折返し部（複数の第２Ω1構造３７及び複数の第２Ω2構造３９）を有するとともに、上記折返し部（複数の第２Ω1構造３７及び複数の第２Ω2構造３９）を有した状態で、固定端部３において、固定端連結部７１により連結されている。従って、第２シート部分３１は、固定端部３において、折返し部（複数の第２Ω1構造３７及び複数の第２Ω2構造３９）を開放しえないが、自由端部５では、折返し部（複数の第２Ω1構造３７及び複数の第２Ω2構造３９）を開放することができる。それにより、第２シート部分３１では、固定端連結部７１と平行な方向（第１方向Ｄ1）における、自由端部５の伸長長さが、固定用端結部７１と平行な方向（第１方向Ｄ1）における、固定端部３の長さよりも長くなる。
【００７５】
図８に示されるように、第３シート部分５１は、厚さ方向一方向Ｔ1に突出する、複数のΩ1構造と、厚さ方向他方向Ｔ2に突出する、複数のΩ2構造、具体的には、厚さ方向一方向Ｔ1に突出する、複数の第３Ω1構造５３と、厚さ方向他方向Ｔ2に突出する、複数の第３Ω2構造５５とを有しており、複数の第３Ω1構造５３は、第１方向Ｄ1に連続しており、複数の第３Ω2構造５５は、第１方向Ｄ1に連続している。
なお、展開状態における清掃シート１では、厚さ方向一方向Ｔ1に突出する、複数の第３Ω1構造５３と、厚さ方向他方向Ｔ2に突出する、複数の第３Ω2構造５５とは、それぞれ、第２方向一方向Ｄ21及び第２方向他方向Ｄ22に突出する。
【００７６】
また、複数の第３Ω1構造５３のそれぞれと、複数の第３Ω2構造５５のそれぞれとは、それぞれ、第２シート部分３１における、複数の第２Ω1構造３７のそれぞれと、複数の第２Ω2構造３９のそれぞれと同一の形状（第２Ω1構造３７を基準とすると、「第３Ω1構造５３＝第３Ω2構造５５＝第２Ω1構造３７」となる。）を有するが、複数の第３Ω1構造５３のそれぞれは、複数の第２Ω2構造３９のそれぞれと向かい合うように、特に、厚さ方向Ｔに一致するように配置されている。
第３シート部分５１では、第２シート部分３１と同様の理由により、固定端連結部７１と平行な方向（第１方向Ｄ1）における、自由端部５の伸長長さが、固定端連結部７１と平行な方向（第１方向Ｄ1）における、固定端部３の長さよりも長くなる。
【００７７】
図７に示されるように、第１シート部分２１は、厚さ方向一方向Ｔ1に突出する、複数のΩ1構造と、厚さ方向他方向Ｔ2に突出する、複数のΩ2構造、具体的には、厚さ方向一方向Ｔ1に突出する、複数の第１Ω1構造２３と、厚さ方向他方向Ｔ2に突出する、複数の第１Ω2構造２５とを有しており、複数の第１Ω1構造２３は、第１方向Ｄ1に連続しており、複数の第１Ω2構造２５は、第１方向Ｄ1に連続している。
なお、展開状態における清掃シート１では、厚さ方向一方向Ｔ1に突出する、複数の第１Ω1構造２３と、厚さ方向他方向Ｔ2に突出する、複数の第１Ω2構造２５とは、それぞれ、第２方向一方向Ｄ21及び第２方向他方向Ｄ22に突出する。
【００７８】
複数の第１Ω1構造２３のそれぞれと、複数の第１Ω2構造２５のそれぞれとは、向きは逆であるが同一の形状を有し、第１方向Ｄ1に交互に配置されている。また、複数の第１Ω1構造２３のそれぞれと、複数の第１Ω2構造２５のそれぞれとは、それぞれ、第２シート部分３１における、複数の第２Ω1構造３７のそれぞれと、複数の第２Ω2構造３９のそれぞれよりも大きく且つ相似形（第２Ω1構造３７を基準とすると、「第１Ω1構造２３＝第１Ω2構造２５＞第２Ω1構造３７」となる。）を有する。
第１シート部分２１では、第２シート部分３１と同様の理由により、固定端連結部７１と平行な方向（第１方向Ｄ1）における、自由端部５の伸長長さが、固定端連結部７１と平行な方向（第１方向Ｄ1）における、固定端部３の長さよりも長くなる。
【００７９】
図８に示されるように、第４シート部分６１は、厚さ方向一方向Ｔ1に突出する、複数のΩ1構造と、厚さ方向他方向Ｔ2に突出する、複数のΩ2構造、具体的には、厚さ方向一方向Ｔ1に突出する、複数の第４Ω1構造６３と、厚さ方向他方向Ｔ2に突出する、複数の第４Ω2構造６５とを有しており、複数の第４Ω1構造６３は、第１方向Ｄ1に連続しており、複数の第４Ω2構造６５は、第１方向Ｄ1に連続している。
なお、展開状態における清掃シート１では、厚さ方向一方向Ｔ1に突出する、複数の第４Ω1構造６３と、厚さ方向他方向Ｔ2に突出する、複数の第４Ω2構造６５とは、それぞれ、第２方向一方向Ｄ21及び第２方向他方向Ｄ22に突出する。
【００８０】
複数の第４Ω1構造６３のそれぞれと、複数の第４Ω2構造６５のそれぞれとは、それぞれ、第１シート部分２１における、複数の第１Ω1構造２３のそれぞれと、複数の第１Ω2構造２５のそれぞれと同一の形状を有する（第２Ω1構造３７を基準とすると、「第４Ω1構造６３＝第４Ω2構造６５＞第２Ω1構造３７」となる。）が、複数の第４Ω1構造６３のそれぞれは、複数の第１Ω2構造２５のそれぞれと向かい合うように、特に、厚さ方向Ｔに一致するように配置されている。
第４シート部分６１では、第２シート部分３１と同様の理由により、固定端連結部７１と平行な方向（第１方向Ｄ1）における、自由端部５の伸長長さが、固定端連結部７１と平行な方向（第１方向Ｄ1）における、固定端部３の長さよりも長くなる。
【００８１】
積層構造９は、固定端部３において、ベースシート第１部分１３ａ及びベースシート第２部分１３ｂを含む複数のシート部分（把持部形成用シート第１部分１１ａから把持部形成用シート第２部分１１ｂまで）を融着することにより形成された融着部からなる固定端連結部７１を備えている。固定端連結部７１は、第１方向Ｄ1に延びており、把持部形成用シート第１部分１１ａから把持部形成用シート第２部分１１ｂまでを連結している。
【００８２】
積層構造９は、自由端部５において、接着剤により構成された自由端連結部７３により連結されている。自由端連結部７３は、第１シート部分２１及び第２シート部分３１を連結する第１自由端連結部７５と、第２シート部分３１及び第３シート部分５１を連結する第２自由端連結部７７と、第３シート部分５１及び第４シート部分６１を連結する第３自由端連結部７９と、第４シート部分６１及びベースシート第２部分１３ｂを連結する第４自由端連結部８１と、ベースシート第１部分１３ａ及び第１シート部分２１を連結する第５自由端連結部８３とを備えている。
【００８３】
第１シート部分２１及び第２シート部分３１を連結する第１自由端連結部７５は、第２シート部分３１の複数の第２Ω1構造３７のそれぞれの第２シート部分第１頂面３３ａの中央（第１方向Ｄ1の中央）に配置された６個の第１自由端連結部分７５ａを備えている。なお、６個の第１自由端連結部分７５ａには、第１シート部分２１の第１方向Ｄ1の両端に配置された２個の第１自由端連結部分７５ａも含まれる。
【００８４】
第２シート部分３１及び第３シート部分５１を連結する第２自由端連結部７７は、第２シート部分３１の複数の第２Ω2構造３９のそれぞれの第２シート部分第２頂面３５ａの中央（第１方向Ｄ1の中央）に配置された５個の第２自由端連結部分７７ａを備えている。複数の第２Ω2構造３９のそれぞれと、複数の第３Ω1構造５３のそれぞれとは、厚さ方向Ｔに一致するように配置されているので、第２自由端連結部分７７ａは、複数の第３Ω1構造５３のそれぞれの第３シート部分第１頂面５７ａの中央（第１方向Ｄ1の中央）に配置されているともいえる。
【００８５】
６個の第１自由端連結部分７５ａと、５個の第２自由端連結部分７７ａとは、厚さ方向Ｔに重複しないように、第１方向Ｄ1に離間して配置されている。６個の第１自由端連結部分７５ａと、５個の第２自由端連結部分７７ａとは、第２Ω1構造３７の第１方向Ｄ1の長さ（＝第２Ω2構造３９の第１方向Ｄ1の長さ）の半分だけ、第１方向Ｄ1に離間して配置されている。
【００８６】
第３シート部分５１及び第４シート部分６１を連結する第３自由端連結部７９は、第３シート部分５１の複数の第３Ω2構造５５のそれぞれの第３シート部分第２頂面（符号を付していない）の中央（第１方向Ｄ1の中央）に配置された６個の第３自由端連結部分７９ａを備えている。なお、６個の第３自由端連結部分７９ａには、第３シート部分５１の第１方向Ｄ1の両端に配置された２個の第３自由端連結部分７９ａが含まれる。第３自由端連結部７９の６個の第３自由端連結部分７９ａは、第１自由端連結部７５の６個の第１自由端連結部分７５ａと、厚さ方向Ｔに重複するように配置されている。
【００８７】
従って、第３自由端連結部７９の６個の第３自由端連結部分７９ａは、第２自由端連結部７７の５個の第２自由端連結部分７７ａと、第３Ω1構造５３の第１方向Ｄ1の長さ（＝第３Ω2構造５５の第１方向Ｄ1の長さ）の半分だけ、第１方向Ｄ1に離間して配置されている。第３自由端連結部７９の６個の第３自由端連結部分７９ａは、第２自由端連結部７７の５個の第２自由端連結部分７７ａと、厚さ方向Ｔに重複しないように配置されている。
【００８８】
第４シート部分６１及びベースシート第２部分１３ｂを連結する第４自由端連結部８１は、第４シート部分６１の複数の第４Ω2構造６５のそれぞれの第４シート部分第２頂面６７ａの中央（第１方向Ｄ1の中央）に配置された５個の第４自由端連結部分８１ａを備えている。なお、５個の第４自由端連結部分８１ａには、第４シート部分６１の第１方向Ｄ1の両端に配置された２個の第４自由端連結部分８１ａが含まれる。第４自由端連結部８１の５個の第４自由端連結部分８１ａは、第４シート部分６１の第１方向Ｄ1の両端に配置された２個の第４自由端連結部分８１ａを除いて、第３自由端連結部７９の６個の第３自由端連結部分７９ａと、厚さ方向Ｔに重複しないように配置されている。
【００８９】
ベースシート第１部分１３ａ及び第１シート部分２１とを連結する第５自由端連結部８３は、第１シート部分２１の複数の第１Ω1構造２３のそれぞれの第１シート部分第１頂面２７ａの中央（第１方向Ｄ1の中央）に配置された５個の第５自由端連結部分８３ａを備えている。なお、５個の第５自由端連結部分８３ａには、第１シート部分２１の第１方向Ｄ1の両端に配置された２個の第５自由端連結部分８３ａが含まれる。第４自由端連結部８１の５個の第４自由端連結部分８１ａは、第５自由端連結部８３の５個の第５自由端連結部分８３ａと、厚さ方向Ｔに重複するように配置されている。第５自由端連結部８３の５個の第５自由端連結部分８３ａは、第１シート部分２１の第１方向Ｄ1の両端に配置された２個の第５自由端連結部分８３ａを除き、第１自由端連結部７５の６個の第１自由端連結部分７５ａと、厚さ方向Ｔに重複しないように配置されている。
【００９０】
なお、ベースシート第１部分１３ａ及び把持部形成用シート第１部分１１ａと、ベースシート第２部分１３ｂ及び把持部形成用シート第２部分１１ｂとには、ハンディ用清掃具２５１の清掃シート取付部２５３ａ及び清掃シート取付部２５３ｂを把持させるための把持部９１を形成するように把持部用融着部１５が形成されている。把持部用融着部１５は、公知の部分であるため説明を省略する。
【００９１】
図５に示されるように、非展開状態における清掃シート１は、ベースシート第１部分１３ａ及びベースシート第２部分１３ｂを、複数のシート部分（すなわち、第１シート部分２１、第２シート部分３１、第３シート部分５１、第４シート部分６１）よりも、第１方向他方向Ｄ12側（把持部９１側）に長く構成させることにより形成された、一対の展開用把持部８５を備えている。一対の展開用把持部８５（ベースシート第１部分１３ａ及びベースシート第２部分１３ｂ）は、厚さ方向Ｔに所定距離ｄだけ離間しており、一対の展開用把持部８５を構成しているので、使用者が、一対の展開用把持部８５を把持して、清掃シート１を展開させやすい。
【００９２】
非展開状態における清掃シート１（積層構造９）の一対の展開用把持部８５を把持し、ベースシート第１部分１３ａをベースシート第２部分１３ｂから遠ざかるように第２方向Ｄ2、具体的には第２方向一方向Ｄ21に展開させると、ベースシート第１部分１３ａに連結している第１シート部分２１、第２シート部分３１、第３シート部分５１、第４シート部分６１、及びベースシート第２部分１３ｂが順に第２方向Ｄ2に展開する。
【００９３】
次いで、展開状態における清掃シート１（清掃シート部分１７）では、上記展開に伴い、第１シート部分２１は、複数のΩ構造を有することに加え、第１シート部分２１が、第１自由端連結部分７５ａのところで、第２方向一方向Ｄ21又は第２方向他方向Ｄ22に引っ張られることになる。従って、第１方向一方向Ｄ11（第１方向他方向Ｄ12）において、第１シート部分２１の自由端部５が、第２方向一方向Ｄ21及び第２方向他方向Ｄ22に交互に往復する第１往復構造９３を有する。
【００９４】
同様に、展開状態における清掃シート１（清掃シート部分１７）では、第２シート部分３１、第３シート部分５１及び第４シート部分６１が、それぞれ、第１方向一方向Ｄ11（又は第１方向他方向Ｄ12）において、第２シート部分３１、第３シート部分５１及び第４シート部分６１の自由端部５が、第２方向一方向Ｄ21及び第２方向他方向Ｄ22に交互に往復する、第２往復構造９５、第３往復構造９７及び第４往復構造９９を有する。
【００９５】
第２シート部分３１及び第３シート部分５１が有するΩ構造は、第１シート部分２１及び第４シート部分６１が有するΩ構造よりも小さいので、第２シート部分３１が有する第２往復構造９５と、第３シート部分５１が有する第３往復構造９７とのそれぞれは、第１シート部分２１が有する第１往復構造９３と、第４シート部分６１が有する第４往復構造９９とのそれぞれよりも波高が小さくなる傾向がある。
【００９６】
従って、相対的に小さな波高を有する第２往復構造９５及び第３往復構造９７が、その形状を柔軟に変化させながら、複雑な形状を有する被清掃物の細部に入り込み、第２往復構造９５及び第３往復構造９７を構成する壁面が被清掃物の細部の被清掃面を清浄化するとともに、被清掃物に付着していた微細なゴミを取り込むことができ、そして被清掃物に接触して変形した場合であっても元の形状に復元しやすい。また、相対的に大きな波高を有する第１往復構造９３及び第４往復構造９９を構成する壁面が、その形状を柔軟に変化させながら、被清掃物の大きな被清掃面を清浄化するとともに、第２往復構造９５及び第３往復構造９７が取り残したゴミを取り込むことができる。
【００９７】
第１実施形態に従う清掃シート１は、例えば、以下の通り、製造することができる。
第１不織布２０１、第２不織布２０３、ベースシート２０５、及び把持部形成用シート２０７をその順番で積層し、積層シート２０９を形成する。積層シート２０９の分解斜視図を図９に示す。なお、ベースシート２０５には、把持部形成用シート２０７が融着され、それらの間に把持部９１が形成されている。
【００９８】
次いで、積層シート２０９を、直交方向ＤCの中心を通り、第１方向Ｄ1に延びる第１方向中心線ＣＬ1に沿って融着させ、融着部２１１を形成する。次いで、積層シート２０９を、融着部２１１のところで折畳み、折り畳まれた積層シート２０９に、接着剤を用いて第１自由端連結部７５〜第５自由端連結部８３を形成することにより、清掃シート１が形成される。
【００９９】
なお、融着部２１１が、固定端連結部７１を構成する。また、第１不織布２０１は、融着部２１１（固定端連結部７１）を間に挟んで、第２シート部分３１及び第３シート部分５１を構成する。第２不織布２０３は、融着部２１１（固定端連結部７１）を間に挟んで、第１シート部分２１及び第４シート部分６１を構成する。ベースシート２０５は、融着部２１１（固定端連結部７１）を間に挟んで、ベースシート第１部分１３ａ及びベースシート第２部分１３ｂを構成する。把持部形成用シート２０７は、融着部２１１（固定端連結部７１）を間に挟んで、把持部形成用シート第１部分１１ａ及び把持部形成用シート第２部分１１ｂを構成する。
【０１００】
＜＜第２実施形態＞＞
図１０〜図１２は、本開示の別の実施形態（以下、「第２実施形態」と称する）に従う清掃シート１を説明するための図である。具体的には、図１０は、展開状態における清掃シート１の正面、平面及び左側面側の斜視図である。図１１は、非展開状態における清掃シート１の左側面図であり、第１実施形態に従う、非展開状態における清掃シート１の左側面図に相当する。図１２は、非展開状態における清掃シート１の正面、平面及び左側面側の斜視図である。
【０１０１】
第２実施形態に従う清掃シート１は、ハンディ用清掃具２５１に取り付けられて用いられる清掃シートである。また、第２実施形態に従う清掃シート１は、薬液を含む、ウェット型の清掃シートである。清掃シート１は、非展開状態と、展開状態とを形成することができ、具体的には、展開状態における、単一の清掃シート部分１７と、非展開状態における、単一の積層構造９とを形成することができる。また、第２実施形態に従う清掃シート１では、清掃シート部分１７が、展開状態において、約１８０°の清掃シート部分角度を有する。
【０１０２】
展開状態における清掃シート１（清掃シート部分１７）及び非展開状態における清掃シート１（積層構造９）は、お互いに直交する、第１方向Ｄ1、直交方向ＤC及び厚さ方向Ｔ、並びに第２方向Ｄ2を備えている。展開状態における清掃シート１（清掃シート部分１７）及び非展開状態における清掃シート１（積層構造９）における第１方向Ｄ1、直交方向ＤC及び厚さ方向Ｔ、並びに第２方向Ｄ2は、第１実施形態のものと同様である。
【０１０３】
第２実施形態に従う清掃シート１は、非展開状態において、ベースシート第１部分１３ａ、第１シート部分１０１〜第１８シート部分１３５、及びベースシート第２部分１３ｂの計２０のシート部分が積層された積層構造９を有している。なお、図１０では、角度の関係上、第２シート部分及び第４シート部分が図示されていない。また、図１１では、説明の簡略化のため、第１シート部分１０１、第２シート部分１０３及び第３シート部分１０５、並びに第１６シート部分１３１、第１７シート部分１３３及び第１８シート部分１３５が示されているが、第４シート部分〜第１５シート部分１２９は、省略されている。
第１シート部分１０１〜第１８シート部分１３５は、第１方向Ｄ1に折返されていない。
【０１０４】
図１２に示されるように、第１シート部分１０１〜第１８シート部分１３５のそれぞれは、固定端連結部７１と平行な方向（第１方向Ｄ1）において、自由端部５の伸長長さＬ1と、固定端連結部７１と平行な方向（第１方向Ｄ1）における、固定端部３の長さＬ2とを有し、自由端部５の伸長長さＬ1が、固定端部３の長さＬ2よりも長くなるように構成されている。
また、ベースシート第１部分１３ａ及びベースシート第２部分１３ｂのそれぞれも、固定端連結部７１と平行な方向（第１方向Ｄ1）における、自由端部５の伸長長さ（図示せず）が、固定端連結部７１と平行な方向（第１方向Ｄ1）における、固定端部３の長さよりも長く（図示せず）なるように構成されている。
【０１０５】
ベースシート第１部分１３ａは、第１シート部分１０１と反対側の面に配置された、把持部９１を形成するための把持部形成用シート第１部分１１ａを備えている。また、ベースシート第２部分１３ｂは、第１８シート部分１３５と反対側の面に配置された、把持部９１を形成するための把持部形成用シート第２部分１１ｂを備えている。
【０１０６】
また、非展開状態における清掃シート１は、ベースシート第１部分１３ａ及びベースシート第２部分１３ｂを、複数のシート部分（すなわち、第１シート部分１０１〜第４シート部分１０７）よりも、第１方向他方向Ｄ12側に長く構成させることにより形成された、一対の展開用把持部８５を備えている。一対の展開用把持部８５は、厚さ方向Ｔに所定距離ｄだけ離間しているので、使用者が、一対の展開用把持部８５を把持して、清掃シート１を展開させやすい。
【０１０７】
積層構造９は、自由端部５において、接着剤により構成された自由端連結部７３により連結されている。
第２実施形態に従う清掃シート１では、積層構造９を形成する複数のシート部分の枚数が多いため、文字式を利用すると、清掃シート１は、第ｎシート部分を含むｎ枚のシート部分（ｎ＝１〜１８）と、ベースシート第１部分１３ａと、ベースシート第２部分１３ｂとを備えている。
【０１０８】
自由端連結部７３は、第ｎシート部分及び第（ｎ＋１）シート部分を連結する第ｎ自由端連結部（ｎ＝１〜１７）を備えている。なお、図１１では、説明の簡略化のため、第１シート部分１０１及び第２シート部分１０３を連結する第１自由端連結部１４１と、第２シート部分１０３及び第３シート部分１０５を連結する第２自由端連結部１４３と、第３シート部分１０５及び第４シート部分（図示せず）を連結する第３自由端連結部１４５と、第１５シート部分（図示せず）及び第１６シート部分１３１を連結する第１５自由端連結部１４７と、第１６シート部分１３１及び第１７シート部分１３３を連結する第１６自由端連結部１４９と、第１７シート部分１３３及び第１８シート部分１３５を連結する第１７自由端連結部１５１とが示されている。
【０１０９】
また、自由端連結部７３は、第１８シート部分１３５及びベースシート第２部分１３ｂを連結する第１８自由端連結部１５３と、ベースシート第１部分１３ａ及び第１シート部分１０１を連結する第１９自由端連結部１５５とを備えている。
【０１１０】
第ｎ自由端連結部（ｎ＝１〜１９）は、第１方向Ｄ1に間欠的、具体的には、所定距離Ｌだけ離間して繰り返し配置されている、複数の第ｎ自由端連結部分（ｎ＝１〜１９）を備えている。なお、図１１では、説明の簡略化のため、第１自由端連結部分１４１ａ〜第３自由端連結部分１４５ａ、及び第１５自由端連結部分１４７ａ〜第１９自由端連結部分１５５ａのみが示されている。
【０１１１】
第ｎ自由端連結部（ｎ＝１〜１８）のうち、ｎ＝２ｋ−１（ｋ＝１〜９）の要件を満たすものでは、複数の第ｎ自由端連結部分が、厚さ方向Ｔに一致するように配置されている。また、第ｎ自由端連結部（ｎ＝１〜１８）のうち、ｎ＝２ｋ（ｋ＝１〜９）の要件を満たすものと、第１９自由端連結部１５５とでは、複数の第ｎ自由端連結部分（ｎ＝１〜１９）が、厚さ方向Ｔに一致するように配置されている。
また、第ｎ自由端連結部（ｎ＝１〜１８）のうち、ｎ＝２ｋ−１（ｋ＝１〜９）の要件を満たすものと、第ｎ自由端連結部（ｎ＝１〜１８）のうち、ｎ＝２ｋ（ｋ＝１〜９）の要件を満たすもの及び第１９自由端連結部１５５とが、厚さ方向Ｔに重複しないように、具体的には、第１方向Ｄ1に、０．５Ｌだけ離間して配置されている。
【０１１２】
また、清掃シート１は、第ｎ自由端連結部（ｎ＝１〜１９）の複数の第ｎ自由端連結部分（ｎ＝１〜１９）のそれぞれを起点に、自由端部５から中央部７を通って固定端部３を終点とする第ｎ補助連結部分（ｎ＝１〜１９）を備えている。なお、図１０では、第ｎ補助連結部分のうち、第１６補助連結部分１４９ｂ及び第１８補助連結部分１５３ｂが示されている。
【０１１３】
図１０に示されるように、展開状態における清掃シート１（清掃シート部分１７）では、第ｎシート部分（ｎ＝１〜１８）が、第２方向一方向Ｄ21と、第２方向他方向Ｄ22に交互に往復する第ｎ往復構造（ｎ＝１〜１８）を有することになる。なお、図１０では、角度の関係上、第ｎ往復構造（ｎ＝１〜１８）のうち、第２シート部分から構成される第２往復構造と、第４シート部分から構成される第４往復構造とが図示されていない。
【０１１４】
展開状態における清掃シート１（清掃シート部分１７）では、第ｎシート部分（ｎ＝１〜１８）のそれぞれが、第２方向一方向Ｄ21及び第２方向他方向Ｄ22に交互に往復する第ｎ往復構造（ｎ＝１〜１８）を形成することができる。
なお、第１シート部分１０１〜第１８シート部分１３５のそれぞれは、自由端部５の伸長長さＬ1が、固定端部３の長さＬ2よりも長くなるように構成されている。従って、清掃シート１が、非展開状態から展開状態に変形する際に、第１シート部分１０１〜第１８シート部分１３５のそれぞれの自由端部５が、固定端連結部７１と平行な方向（第１方向Ｄ1）に幅入りし、第ｎ往復構造（ｎ＝１〜１８）の振幅を大きくすることができ、第ｎ往復構造（ｎ＝１〜１８）を構成する壁面が、その形状を柔軟に変化させながら、被清掃面を清掃することができる。
【０１１５】
また、第２実施形態に従う清掃シート１は、第ｎ補助連結部分（ｎ＝１〜１９）を備えていることから、被清掃面の清掃に伴い、第ｎ自由端連結部（ｎ＝１〜１９）の複数の第ｎ自由端連結部分（ｎ＝１〜１９）が外れた場合であっても、第ｎ補助連結部分（ｎ＝１〜１９）が、第ｎ往復構造（ｎ＝１〜１８）の形状を保持するように機能し、清掃シート１が、清掃性に優れることができる。
【０１１６】
第２実施形態に従う清掃シート１は、それ以外の部分については、第１実施形態に従う清掃シート１と同様であるため、説明を省略する。
【０１１７】
＜＜第３実施形態＞＞
図１３〜図１５は、本開示の別の実施形態（以下、「第３実施形態」と称する）に従う清掃シート１を説明するための図である。具体的には、図１３は、展開状態における清掃シート１の正面、平面及び左側面側の斜視図である。図１４は、非展開状態における清掃シート１の正面、平面及び左側面側の斜視図である。図１５は、清掃シート１を、片面清掃型のフロア用清掃具３５１に取付けた状態を示す図である。
【０１１８】
第３実施形態に従う清掃シート１は、フロア用清掃具３５１に取り付けられて用いられる清掃シートである。また、第３実施形態に従う清掃シート１は、薬液を含む、ウェット型の清掃シートである。清掃シート１は、非展開状態と、展開状態とを形成することができ、具体的には、展開状態における、単一の清掃シート部分１７と、非展開状態における、単一の積層構造９とを形成することができる。また、第３実施形態に従う清掃シート１では、清掃シート部分１７が、展開状態において、約１８０°の清掃シート部分角度を有する。
【０１１９】
展開状態における清掃シート１（清掃シート部分１７）は、お互いに直交する、第１方向Ｄ1、直交方向ＤC及び厚さ方向Ｔ、並びに第２方向Ｄ2を備えている。展開状態における清掃シート１（清掃シート部分１７）における第１方向Ｄ1、直交方向ＤC及び厚さ方向Ｔ、並びに第２方向Ｄ2は、第１実施形態のものと同様である。非展開状態における清掃シート１（積層構造９）は、展開状態における清掃シート１（清掃シート部分１７）と、後述する、ベースシート第２部分３０１ｂが同一の方向を有するように、第１方向Ｄ1、直交方向ＤC及び厚さ方向Ｔ、並びに第２方向Ｄ2を有している。
【０１２０】
積層構造９は、固定端部３及び自由端部５を有し、固定端部３及び自由端部５のそれぞれは、第１方向Ｄ1と平行な方向に延びており、固定端部３及び自由端部５は、中央部７を間に挟んで、第２方向Ｄ2に離間して配置されている。
【０１２１】
積層構造９では、複数のシート部分は、厚さ方向一方向Ｔ1において、順番に、ベースシート第１部分３０１ａ、第１シート部分３０３、第２シート部分３０５、第３シート部分３０７、第４シート部分３０９、及びベースシート第２部分３０１ｂから構成されている。ベースシート第１部分３０１ａ及びベースシート第２部分３０１ｂは、フロア用清掃具３５１に把持させるための把持用シート３１１に連結されている。
【０１２２】
第１シート部分３０３、第２シート部分３０５、第３シート部分３０７及び第４シート部分３０９のそれぞれは、熱融着性繊維と、保水性繊維とを含むスパンレース不織布から構成されており、薬液を含んでいる。また、ベースシート第１部分３０１ａ、ベースシート第２部分３０１ｂ、及び把持用シート３１１は、熱融着性繊維からなるスパンボンド不織布から構成されている。
【０１２３】
把持用シート３１１は、第１シート部分３０３〜第４シート部分３０９よりも、直交方向ＤC、具体的には直交方向他方向ＤC2に長く構成されており、第１シート部分３０３〜第４シート部分３０９よりも直交方向他方向ＤC2に延出している部分が、フロア用清掃具３５１に把持される把持部３１３を構成している。
【０１２４】
第３実施形態に従う清掃シート１における第１シート部分３０３は、第１実施形態に従う清掃シート１における第１シート部分２１と同一形状の、複数のΩ構造を有するとともに、Ω構造の個数が、第１実施形態に従う清掃シート１における第１シート部分２１よりも多い。同様に、第３実施形態に従う清掃シート１における第２シート部分３０５，第３シート部分３０７，及び第４シート部分３０９は、それぞれ、第１実施形態に従う清掃シート１における第２シート部分３１、第３シート部分５１及び第４シート部分６１と同一形状の、複数のΩ構造を有するとともに、Ω構造の個数が、第１実施形態に従う清掃シート１における第２シート部分３１、第３シート部分５１及び第４シート部分６１よりも多い。また、第１シート部分３０３では、固定端連結部７１と平行な方向（第１方向Ｄ1）における、自由端部５の伸長長さが、固定端連結部７１と平行な方向（第１方向Ｄ1）における、固定端部３の長さよりも長い。
【０１２５】
積層構造９は、固定端部３において、ベースシート第１部分３０１ａ〜ベースシート第２部分３０１ｂを融着することにより形成された融着部からなる固定端連結部７１を備えている。固定端連結部７１は、第１方向Ｄ1に延びており、ベースシート第１部分３０１ａ〜ベースシート第２部分３０１ｂを連結している。
【０１２６】
積層構造９は、自由端部５において、接着剤により構成された自由端連結部（図示せず）により連結されている。第３実施形態に従う清掃シート１における自由端連結部（図示せず）は、第１実施形態に従う清掃シート１における自由端連結部７３と同様であるため、説明を省略する。
【０１２７】
非展開状態における清掃シート１の把持部３１３を把持し、ベースシート第１部分３０１ａをベースシート第２部分３０１ｂから遠ざかるように第２方向Ｄ2、具体的には第２方向一方向Ｄ21に展開させると、ベースシート第１部分３０１ａに連結している第１シート部分３０３、第２シート部分３０５、第３シート部分３０７、第４シート部分３０９、及びベースシート第２部分３０１ｂが順に第２方向Ｄ2、具体的には第２方向一方向Ｄ21に展開する。
【０１２８】
次いで、展開状態における清掃シート１では、上記展開に伴い、第１シート部分３０３は、第１方向一方向Ｄ11（第１方向他方向Ｄ12）において、第１シート部分３０３の自由端部５が、第２方向一方向Ｄ21及び第２方向他方向Ｄ22に交互に往復する第１往復構造３１５を有する。
【０１２９】
同様に、展開状態における清掃シート１では、第２シート部分３０５、第３シート部分３０７及び第４シート部分３０９が、それぞれ、第１方向一方向Ｄ11（第１方向他方向Ｄ12）において、第２シート部分３０５、第３シート部分３０７及び第４シート部分３０９の自由端部５が、第２方向一方向Ｄ21及び第２方向他方向Ｄ22に交互に往復する、第２往復構造３１７、第３往復構造３１９及び第４往復構造３２１を有する。
また、第２シート部分３０５、第３シート部分３０７及び第４シート部分３０９のそれぞれでは、固定端連結部７１と平行な方向（第１方向Ｄ1）における、自由端部５の伸長長さが、固定端連結部７１と平行な方向（第１方向Ｄ1）における、固定端部３の長さよりも長い。
【０１３０】
清掃シート１は、例えば、フロア用清掃具３５１のスリット部３５３に、把持部３１３を固定することにより使用される。
清掃シート１を備えるフロア用清掃具３５１を、清掃シート１が被清掃面(例えば、フロア等）と向かい合うように被清掃面上に配置すると、清掃シート１が、フロア用清掃具３５１の自重等により被清掃面に押しつけられ、第１往復構造３１５〜第４往復構造３２１が不規則に変形し、第１シート部分３０３〜第４シート部分３０９の第１領域を露出させ、当該第１領域が被清掃面に接触し、当該第１領域が被清掃面を清掃することができる。また、第１往復構造３１５〜第４往復構造３２１が不規則に変形して、清掃シート１に不規則な段差を形成することができ、当該不規則な段差が、被清掃面の清掃性に優れる。
【０１３１】
フロア用清掃具３５１を持ち上げ、清掃シート１を被清掃面から離間させると、第１往復構造３１５〜第４往復構造３２１が、それらの形状回復性により元の形状に戻り、次いで、清掃シート１を被清掃面に再度押しつけると、第１往復構造３１５〜第４往復構造３２１が不規則に変形し、第１領域と異なる第２領域を露出させ、当該第２領域が被清掃面に接触し、当該第２領域が被清掃面を清掃することができる。
第３実施形態に従う清掃シート１は、それ以外の部分は、第１実施形態に従う清掃シート１と同様であるので、説明を省略する。
【０１３２】
＜＜第４実施形態＞＞
図１６〜図１９は、本開示の別の実施形態（以下、「第４実施形態」と称する）に従う清掃シート１を説明するための図である。具体的には、図１６は、展開状態における清掃シート１の正面、平面及び左側面側の斜視図である。図１７は、非展開状態における清掃シート１の正面、平面及び左側面側の斜視図である。図１８は、第１積層構造４０１の左側面図である。図１９は、清掃シート１を、両面清掃型のフロア用清掃具４８１に取付けた状態を示す図である。
【０１３３】
第４実施形態に従う清掃シート１は、フロア用清掃具３５１に取り付けられて用いられる清掃シートである。また、第４実施形態に従う清掃シート１は、薬液を含む、ウェット型の清掃シートである。清掃シート１は、非展開状態と、展開状態とを形成することができ、具体的には、展開状態における、２つの清掃シート部分（第１清掃シート部分４１５及び第２清掃シート部分４１７）と、非展開状態における、２つの積層構造（第１積層構造４０１及び第２積層構造４０３）とを形成することができる。また、第４実施形態に従う清掃シート１では、展開状態において、第１清掃シート部分４１５（第１積層構造４０１）及び第２清掃シート部分４１７（第２積層構造４０３）のそれぞれが、約１８０°の清掃シート部分角度を有する。
【０１３４】
展開状態における清掃シート１（第１清掃シート部分４１５及び第２清掃シート部分４１７）は、お互いに直交する、第１方向Ｄ1、直交方向ＤC及び厚さ方向Ｔ、並びに第２方向Ｄ2を共通して備えている。展開状態における清掃シート１における第１方向Ｄ1、直交方向ＤC及び厚さ方向Ｔ、並びに第２方向Ｄ2は、第１実施形態のものと同様である。
【０１３５】
非展開状態における清掃シート１（第１積層構造４０１及び第２積層構造４０３）は、展開状態における清掃シート１（第１清掃シート部分４１５及び第２清掃シート部分４１７）と、後述する、ベースシート第２部分４０５ｂ及び第４ベースシート部分４２１ｂが同一の方向を有するように、第１方向Ｄ1、直交方向ＤC及び厚さ方向Ｔ、並びに第２方向Ｄ2を有している。
【０１３６】
非展開状態における清掃シート１は、厚さ方向Ｔにおいて、複数のシート部分が積層された、２つの積層構造（すなわち、第１積層構造４０１及び第２積層構造４０３）を有する。第１積層構造４０１と、第２積層構造４０３とは、厚さ方向Ｔに積層されている。
なお、第１積層構造４０１と、第２積層構造４０３とは、展開状態における清掃シート１において、それぞれ、第１清掃シート部分４１５及び第２清掃シート部分４１７を構成する。
【０１３７】
第１積層構造４０１では、複数のシート部分は、厚さ方向一方向Ｔ1において、順番に、ベースシート第１部分４０５ａ、第１シート部分４０７、第２シート部分４０９、及びベースシート第２部分４０５ｂから構成されている。ベースシート第１部分４０５ａ及びベースシート第２部分４０５ｂは、フロア用清掃具４８１に把持させるための把持用シート４１１に連結されている。
【０１３８】
第２積層構造４０３では、複数のシート部分は、厚さ方向一方向Ｔ1において、順番に、第３ベースシート部分４２１ａ、第３シート部分４２３、第４シート部分４２５、及び第４ベースシート部分４２１ｂから構成されている。第３ベースシート部分４２１ａ及び第４ベースシート部分４２１ｂは、フロア用清掃具４８１に把持させるための把持用シート４１１に連結されている。
【０１３９】
非展開状態において、第１積層構造４０１は、第１固定端部４２７及び第１自由端部４２９を有し、第１固定端部４２７及び第１自由端部４２９のそれぞれは、第１方向Ｄ1と平行な方向に延びており、第１固定端部４２７及び第１自由端部４２９は、第１中央部４３１を間に挟んで、第２方向Ｄ2に離間して配置されている。
【０１４０】
また、非展開状態において、第２積層構造４０３は、第２固定端部４３５及び第２自由端部４３７を有し、第２固定端部４３５及び第２自由端部４３７のそれぞれは、第１方向Ｄ1と平行な方向に延びており、第２固定端部４３５及び第２自由端部４３７は、第２中央部４３９を間に挟んで、第２方向Ｄ2に離間して配置されている。
【０１４１】
第１積層構造４０１では、第１シート部分４０７及び第２シート部分４０９のそれぞれは、熱融着性繊維と、保水性繊維とを含むスパンレース不織布から構成されており、薬液を含んでいる。また、ベースシート第１部分４０５ａ、ベースシート第２部分４０５ｂ、及び把持用シート４１１は、熱融着性繊維からなるスパンボンド不織布から構成されている。
【０１４２】
第２積層構造４０３では、第３シート部分４２３及び第４シート部分４２５のそれぞれは、熱融着性繊維と、保水性繊維とを含むスパンレース不織布から構成されており、薬液を含んでいる。また、第３ベースシート部分４２１ａ及び第４ベースシート部分４２１ｂは、熱融着性繊維からなるスパンボンド不織布から構成されている。
【０１４３】
第１積層構造４０１では、第１シート部分４０７は、第１実施形態に従う清掃シート１における第１シート部分２１と同一形状であるが、個数の異なる、厚さ方向一方向Ｔ1に突出する、複数のΩ1構造と、厚さ方向他方向Ｔ2に突出する、複数のΩ2構造を有する。具体的には、第１シート部分４０７は、厚さ方向一方向Ｔ1に突出する、７個の第１Ω1構造４４５と、厚さ方向他方向Ｔ2に突出する、８個の第１Ω2構造４４７とを有しており、７個の第１Ω1構造４４５は、第１方向Ｄ1に連続しており、８個の第１Ω2構造４４７は、第１方向Ｄ1に連続している。
また、第１シート部分４０７では、後述の第１固定端連結部４４１と平行な方向（第１方向Ｄ1）における、自由端部（図示せず）の伸長長さが、第１固定端連結部４４１と平行な方向（第１方向Ｄ1）における、固定端部（図示せず）の長さよりも長い。
【０１４４】
同様に、第１積層構造４０１では、第２シート部分４０９は、第１実施形態に従う清掃シート１における第４シート部分６１と同一形状であるが、個数の異なる、厚さ方向一方向Ｔ1に突出する、複数のΩ1構造と、厚さ方向他方向Ｔ2に突出する、複数のΩ2構造を有する。具体的には、第２シート部分４０９は、厚さ方向一方向Ｔ1に突出する、８個の第２Ω1構造４４９と、厚さ方向他方向Ｔ2に突出する、７個の第２Ω2構造４５１とを有しており、８個の第２Ω1構造４４９は、第１方向Ｄ1に連続しており、７個の第２Ω2構造４５１は、第１方向Ｄ1に連続している。
また、第２シート部分４０９では、第１固定端連結部４４１と平行な方向（第１方向Ｄ1）における、自由端部（図示せず）の伸長長さが、第１固定端連結部４４１と平行な方向（第１方向Ｄ1）における、固定端部（図示せず）の長さよりも長い。
【０１４５】
第１積層構造４０１は、第１固定端部４２７において、ベースシート第１部分４０５ａ〜ベースシート第２部分４０５ｂを融着することにより形成された融着部からなる第１固定端連結部４４１を備えている。第１固定端連結部４４１は、第１方向Ｄ1に延びており、ベースシート第１部分４０５ａ〜ベースシート第２部分４０５ｂを連結している。
【０１４６】
第１積層構造４０１は、第１自由端部４２９において、接着剤により構成された自由端連結部４５３により連結されている。具体的には、自由端連結部４５３は、第１自由端連結部４５５と、第２自由端連結部４５７と、第３自由端連結部４５９とから構成される。第１自由端連結部４５５は、第１シート部分４０７の８個の第１Ω2構造４４７のそれぞれの頂面（符号を付していない）の中央、そして第２シート部分４０９の８個の第２Ω1構造４４９のそれぞれの頂面（符号を付していない）の中央に配置されるとともに、第１シート部分４０７と、第２シート部分４０９とを部分的に連結している。
【０１４７】
また、第２自由端連結部４５７は、第２シート部分４０９の７個の第２Ω2構造４５１のそれぞれの頂面（符号を付していない）の中央に配置されるとともに、第２シート部分４０９と、ベースシート第２部分４０５ｂとを部分的に連結している。さらに、第３自由端連結部４５９は、第１シート部分４０７の７個の第１Ω1構造４４５のそれぞれの頂面（符号を付していない）の中央に配置されるとともに、第１シート部分４０７と、ベースシート第１部分４０５ａとを部分的に連結している。
【０１４８】
第２積層構造４０３は、第２固定端連結部４４３及び自由端連結部（符号を付していない）を備えている。第２積層構造４０３における第２固定端連結部４４３及び自由端連結部（符号を付していない）は、それぞれ、第１積層構造４０１における第１固定端連結部４４１及び自由端連結部４５３と同様であるため、説明を省略する。
【０１４９】
非展開状態における清掃シート１の把持部４１３を把持し、第２方向Ｄ2、具体的には第２方向一方向Ｄ21に展開させると、第１積層構造４０１及び第２積層構造４０３が、それぞれ、第１清掃シート部分４１５及び第２清掃シート部分４１７を形成する。
【０１５０】
展開状態における清掃シート１では、第１清掃シート部分４１５の第１シート部分４０７の第１自由端部４２９と、第２シート部分４０９の第１自由端部４２９とが、それぞれ、第１方向一方向Ｄ11（第１方向他方向Ｄ12）において、第２方向一方向Ｄ21及び第２方向他方向Ｄ22に交互に往復する、第１往復構造４６１と、第２往復構造４６３とを有する。また、第２清掃シート部分４１７の第３シート部分４２３の第２自由端部４３７と、第４シート部分４２５の第２自由端部４３７とが、第１方向一方向Ｄ11（第１方向他方向Ｄ12）において、第２方向一方向Ｄ21及び第２方向他方向Ｄ22に交互に往復する、第３往復構造４６５と、第４往復構造４６７とを有する。
【０１５１】
清掃シート１は、例えば、両面清掃型のフロア用清掃具４８１に、第１清掃シート部分４１５及び第２清掃シート部分４１７のそれぞれが、フロア用清掃具４８１の清掃面に対応するように、清掃シート１の把持部４１３をフロア用清掃具の取付部（図示せず）に取り付けることにより使用される。
なお、両面清掃型のフロア用清掃具４８１としては、特開１９９７−１６４１１０号公報、実用新案登録第３１５２６３２号等に記載されるものが挙げられる。
第４実施形態に従う清掃シート１は、それ以外の部分は、第１実施形態及び第３実施形態に従う清掃シート１と同様であるので、説明を省略する。
【０１５２】
＜＜第５実施形態＞＞
図２０及び図２１は、本開示の別の実施形態（以下、「第５実施形態」と称する）に従う清掃シート１を説明するための図である。具体的には、図２０は、展開状態における清掃シート１の正面及び平面側の斜視図である。図２１は、非展開状態における清掃シート１の正面、平面及び左側面側の斜視図である。
【０１５３】
第５実施形態に従う清掃シート１は、ハンディ用清掃具（図示せず）に取り付けられて用いられる清掃シートである。また、第５実施形態に従う清掃シート１は、薬液を含む、ウェット型の清掃シートである。清掃シート１は、非展開状態と、展開状態とを形成することができ、具体的には、展開状態における、単一の清掃シート部分５０１と、非展開状態における、単一の積層構造５０３とを形成することができる。第５実施形態に従う清掃シート１では、清掃シート部分５０１が、展開状態において、約１８０°の清掃シート部分角度を有する。
【０１５４】
展開状態における清掃シート１（清掃シート部分５０１）は、お互いに直交する、第１方向Ｄ1、直交方向ＤC及び厚さ方向Ｔ、並びに第２方向Ｄ2を備えている。展開状態における清掃シート１（清掃シート部分５０１）において、第１方向Ｄ1、直交方向ＤC及び厚さ方向Ｔ、並びに第２方向Ｄ2は、第１実施形態のものと同様である。非展開状態における清掃シート１（積層構造５０３）は、展開状態における清掃シート１（清掃シート部分５０１）と、後述する、ベースシート第２部分５０５ｂが同一の方向を有するように、第１方向Ｄ1、直交方向ＤC及び厚さ方向Ｔ、並びに第２方向Ｄ2を有している。
【０１５５】
第５実施形態に従う清掃シート１は、非展開状態において、ベースシート第１部分５０５ａ、第１シート部分５０７、第２シート部分５０９、第３シート部分５１１、第４シート部分５１３、第５シート部分５１５、第６シート部分５１７、第７シート部分５１９、第８シート部分５２１、第９シート部分５２３、第１０シート部分５２５、第１１シート部分５２７、第１２シート部分５２９、第１３シート部分５３１、第１４シート部分５３３、及びベースシート第２部分５０５ｂの計１６のシート部分が積層された積層構造５０３を有している。
【０１５６】
なお、ベースシート第１部分５０５ａ及びベースシート第２部分５０５ｂは、一体のベースシート５０５から構成されており、ベースシート第１部分５０５ａ及びベースシート第２部分５０５ｂは、一体のベースシート５０５を、第１方向中心線ＣＬ1で区画したものである。第１方向中心線ＣＬ1は、展開状態における清掃シート１において、第２方向Ｄ2の中心を通り、第１方向Ｄ1に延びる仮想線である。第１方向中心線ＣＬ1は、積層構造５０３における、一体のベースシート５０５の折畳み線に相当する。
【０１５７】
ベースシート第１部分５０５ａは、第１シート部分５０７と反対側の面に配置された、把持部９１を形成するための把持部形成用シート第１部分５３５ａを備えている。また、ベースシート第２部分５０５ｂは、第１４シート部分５３３と反対側の面に配置された、把持部９１を形成するための把持部形成用シート第２部分５３５ｂを備えている。
【０１５８】
また、非展開状態における清掃シート１は、ベースシート第１部分５０５ａ及びベースシート第２部分５０５ｂを、複数のシート部分（すなわち、第１シート部分５０７〜第１４シート部分５３３）よりも、第１方向他方向Ｄ12側に長く構成させることにより形成された、一対の展開用把持部８５を備えている。一対の展開用把持部８５は、厚さ方向Ｔに所定距離ｄだけ離間しているので、使用者が、一対の展開用把持部８５を把持して、清掃シート１を展開させやすい。
【０１５９】
第１シート部分５０７〜第１４シート部分５３３のそれぞれは、第１方向Ｄ1に折返されておらず、第１方向Ｄ1と平行な方向に延びている。
第１シート部分５０７〜第１４シート部分５３３のそれぞれは、固定端部（符号を付していない）と、自由端部（符号を付していない）とを備えている。
第１シート部分５０７〜第７シート部分５１９のそれぞれは、固定端部（符号を付していない）に配置された固定端連結部（符号を付していない）を介して、ベースシート第１部分５０５ａに連結されている。また、第８シート部分５２１〜第１４シート部分５３３のそれぞれは、固定端部（符号を付していない）に配置された固定端連結部（符号を付していない）を介して、ベースシート第２部分５０５ｂに連結されている。
【０１６０】
第１シート部分５０７〜第１４シート部分５３３のそれぞれは、固定端連結部と平行な方向（第１方向Ｄ1）において、自由端部の伸長長さが、固定端連結部と平行な方向（第１方向Ｄ1）における、固定端部の長さよりも長くなるように構成されている。
また、ベースシート第１部分５０５ａ及びベースシート第２部分５０５ｂのそれぞれも、固定端連結部と平行な方向（第１方向Ｄ1）における、自由端部の伸長長さが、固定端連結部と平行な方向（第１方向Ｄ1）における、固定端部の長さよりも長くなるように構成されている。
【０１６１】
積層構造５０３において、第１シート部分５０７〜第７シート部分５１９の固定端部は、直交方向ＤCに所定距離ｅずつ離間している。また、第８シート部分５２１〜第１４シート部分５３３の固定端部（固定端連結部）は、直交方向ＤCに所定距離ｅずつ離間している。なお、第７シート部分５１９の固定端部（固定端連結部）と、第１方向中心線ＣＬ1とは、所定距離ｅの５０％（０．５ｅ）離間しており、そして第１方向中心線ＣＬ1と、第８シート部分５２１の固定端部（固定端連結部）とは、所定距離ｅの５０％（０．５ｅ）離間している。
積層構造５０３において、第１シート部分５０７〜第１４シート部分５３３の直交方向他方向ＤC2側の端部（符号を付していない）は、所定の位置で揃えられている。
【０１６２】
また、積層構造５０３において、第１シート部分５０７〜第１４シート部分５３３の自由端部（符号を付していない）は、接着剤により構成された自由端連結部（符号を付していない）により連結されている。第５実施形態に従う清掃シート１における自由端連結部（符号を付していない）は、第２実施形態に従う清掃シート１における自由端連結部７３と同様であるため、説明を省略する。
【０１６３】
展開状態における清掃シート１では、第１シート部分５０７〜第１４シート部分５３３の固定端（固定端連結部）は、直交方向ＤCに所定距離ｅずつ離間している。また、展開状態における清掃シート１では、第１シート部分５０７〜第１４シート部分５３３は、第１方向中心線ＣＬ1に近いほど、厚さ方向Ｔの高さ（符号を付していない）が高くなる傾向にある。
【０１６４】
第１シート部分５０７〜第７シート部分５１９のそれぞれは、自由端部の伸長長さが、固定端部の長さよりも長くなるように構成されている。従って、清掃シート１が、非展開状態から展開状態に変形する際に、第１シート部分５０７〜第７シート部分５１９のそれぞれの自由端部が、固定端連結部と平行な方向（第１方向Ｄ1）に幅入りし、第１シート部分５０７〜第７シート部分５１９のそれぞれの振幅を大きくすることができ、第１シート部分５０７〜第７シート部分５１９のそれぞれの壁面が、その形状を柔軟に変化させながら、被清掃面を清掃することができる。
第５実施形態に従う清掃シート１は、それ以外の部分については、第２実施形態に従う清掃シート１と同様であるため、説明を省略する。
【０１６５】
＜＜第６実施形態＞＞
図２２及び図２３は、本開示の別の実施形態（以下、「第６実施形態」と称する）に従う清掃シート１を説明するための図である。具体的には、図２２は、ハンディ用清掃具２５１に取り付けられた、清掃シート１の正面、平面及び左側面側の斜視図である。図２３は、清掃シート１の形成方法を説明するための図である。
【０１６６】
第６実施形態に従う清掃シート１は、ハンディ用清掃具２５１に取り付けられて用いられる清掃シートである。また、第６実施形態に従う清掃シート１は、薬液を含む、ウェット型の清掃シートである。第６実施形態に従う清掃シート１は、単一の清掃シート部分６３３から構成されている。なお、第６実施形態に従う清掃シート１は、非展開状態（折り畳まれた状態）を有しないものであるが、清掃シート１を形成する前の、図２３に示される積層構造６２３を、非展開状態における清掃シート１の積層構造と見立て、その構造を説明する。第６実施形態に従う清掃シート１では、展開状態において、清掃シート部分６３３が、約３６０°の清掃シート部分角度を有する。
【０１６７】
展開状態における清掃シート１（清掃シート部分６３３）は、お互いに直交する、第１方向Ｄ1、直交方向ＤC及び厚さ方向Ｔ、並びに第２方向Ｄ2を備えている。展開状態における清掃シート１（清掃シート部分６３３）における第１方向Ｄ1、直交方向ＤC及び厚さ方向Ｔ、並びに第２方向Ｄ2は、第１実施形態のものと同様である。積層構造６２３は、展開状態における清掃シート１（清掃シート部分６３３）と、後述する、ベースシート第２部分６０１ｂが同一の方向を有するように、第１方向Ｄ1、直交方向ＤC及び厚さ方向Ｔ、並びに第２方向Ｄ2を有している。
【０１６８】
第６実施形態に従う清掃シート１は、清掃シート１の形成前に、ベースシート第１部分６０１ａ、第１シート部分６０３、第２シート部分６０５、第３シート部分６０７、第４シート部分６０９、第５シート部分６１１、第６シート部分６１３、第７シート部分６１５、第８シート部分６１７、第９シート部分６１９、第１０シート部分６２１、及びベースシート第２部分６０１ｂが、その順番で積層された積層構造６２３を有している。
【０１６９】
積層構造６２３では、第１シート部分６０３〜第１０シート部分６２１のそれぞれは、第１実施形態における清掃シート１の第２シート部分３１と同様に、厚さ方向一方向Ｔ1に突出する、複数のΩ1構造（符号を付していない）と、厚さ方向他方向Ｔ2に突出する、複数のΩ2構造（符号を付していない）とを有しており、複数のΩ1構造のそれぞれと、複数のΩ2構造のそれぞれとは、向きは逆であるが同一の形状を有し、第１方向Ｄ1に交互に配置されている。
【０１７０】
積層構造６２３は、固定端部６２５及び自由端部６２７を有し、固定端部６２５及び自由端部６２７のそれぞれは、第１方向Ｄ1と平行な方向に延びており、固定端部６２５及び自由端部６２７は、中央部６２９を間に挟んで、第２方向Ｄ2に離間して配置されている。
【０１７１】
また、第１シート部分６０３〜第１０シート部分６２１のそれぞれでは、第１実施形態に従う清掃シート１と同様に、後述の固定端連結部６３１と平行な方向（第１方向Ｄ1）における、自由端部（図示せず）の伸長長さが、固定端連結部６３１と平行な方向（第１方向Ｄ1）における、固定端部（図示せず）の長さよりも長くなるように構成されている。
【０１７２】
第１シート部分６０３〜第１０シート部分６２１のそれぞれは、熱融着性繊維と、保水性繊維とを含むスパンレース不織布から構成されており、薬液を含んでいる。また、ベースシート第１部分６０１ａ及びベースシート第２部分６０１ｂは、熱融着性繊維からなるスパンボンド不織布から構成されている。
【０１７３】
積層構造６２３は、固定端部６２５において、ベースシート第１部分６０１ａ〜ベースシート第２部分６０１ｂを融着することにより形成された融着部からなる固定端連結部６３１を備えている。固定端連結部６３１は、第１方向Ｄ1に延びており、ベースシート第１部分６０１ａ〜ベースシート第２部分６０１ｂを連結している。
【０１７４】
積層構造６２３は、自由端部６２７において、第１実施形態における清掃シート１の自由端連結部７３と同様の自由端連結部（符号を付していない）を備えている。
具体的には、第１シート部分６０３〜第１０シート部分６２１は、第１実施形態における清掃シート１と同様に、隣接するシート部分のΩ1構造の頂面の略中央（第１方向Ｄ1の中央）と、Ω2構造の頂面の略中央（第１方向Ｄ1の中央）とが、複数の自由端連結部分（符号を付していない）を含む自由端連結部（符号を付していない）により接合されている。また、第１シート部分６０３のΩ1構造の頂面の略中央（第１方向Ｄ1の中央）と、ベースシート第１部分６０１ａとは、複数の自由端連結部分（符号を付していない）を含む自由端連結部（符号を付していない）により接合されている。さらに、第１０シート部分６２１のΩ2構造の頂面の略中央（第１方向Ｄ1の中央）と、ベースシート第２部分６０１ｂとは、複数の自由端連結部分（符号を付していない）を含む自由端連結部（符号を付していない）により接合されている。
【０１７５】
積層構造６２３において、ベースシート第１部分６０１ａを、ベースシート第２部分６０１ｂから遠ざかるように、第２方向Ｄ2（具体的には第２方向一方向Ｄ21）に約３６０°展開させ、ベースシート第１部分６０１ａと、ベースシート第２部分６０１ｂとを向かい合わせ、ベースシート第１部分６０１ａ及びベースシート第２部分６０１ｂの自由端部６２７を融着させることにより、清掃シート１が形成される。
【０１７６】
第１シート部分６０３〜第１０シート部分６２１は、中央部６２９において、お互いに連結されていない。また、第１０シート部分６２１及びベースシート第２部分６０１ｂは、中央部６２９において、お互いに連結されておらず、そして第１シート部分６０３及びベースシート第１部分６０１ａは、中央部６２９において、お互いに連結されていない。さらに、ベースシート第１部分６０１ａ及びベースシート第２部分６０１ｂは、固定端部６２５及び自由端部６２７において、お互いに接合されているが、中央部６２９においてお互いに接合されていない。
【０１７７】
従って、清掃シート１は、第１実施形態に示されるハンディ用清掃具２５１の清掃シート取付部２５３ａ及び清掃シート取付部２５３ｂを、第１シート部分６０３〜第１０シート部分６２１の中央部６２９と、第１０シート部分６２１及びベースシート第２部分６０１ｂの中央部６２９と、第１シート部分６０３及びベースシート第１部分６０１ａの中央部６２９と、ベースシート第１部分６０１ａ及びベースシート第２部分６０１ｂの中央部６２９との任意の位置に差し込むことにより用いられることができる。
【０１７８】
第６実施形態に従う清掃シート１は、第２方向Ｄ2における方向性なく、清掃することができる。
第６実施形態に従う清掃シート１は、その他の部分については、第１実施形態に従う清掃シート１と同様であるため、説明を省略する。
【０１７９】
＜＜第７実施形態＞＞
図２４〜図２６は、本開示の別の実施形態（以下、「第７実施形態」と称する）に従う清掃シート１を説明するための図である。具体的には、図２４は、清掃シート１の正面、平面及び左側面側の斜視図である。図２５は、第１清掃シート部分７０１の、ベースシート第１部分７０５ａ及びベースシート第２部分７０５ｂ側の図である。図２６は、清掃シート１用のハンディ用清掃具７５１の斜視図である。なお、ハンディ用清掃具７５１は、清掃シート１を取り付けるための清掃シート取付部７５３と、使用者が握るためのグリップ部７５５と、清掃シート１を固定するための突起部７５７とを備えている。
【０１８０】
展開状態における清掃シート１は、お互いに直交する、第１方向Ｄ1、直交方向ＤC及び厚さ方向Ｔ、並びに第２方向Ｄ2を備えている。なお、後述する、第１清掃シート部分７０１及び第２清掃シート部分７０３は、お互いに反対側を向いているが、展開状態における清掃シート１における第１方向Ｄ1、直交方向ＤC及び厚さ方向Ｔ、並びに第２方向Ｄ2は、第１清掃シート部分７０１を基準に設定されている。
【０１８１】
第７実施形態に従う清掃シート１は、２つの清掃シート部分、すなわち、第１清掃シート部分７０１及び第２清掃シート部分７０３を備えている。
第１清掃シート部分７０１は、ベースシート第１部分７０５ａ、第１シート部分７０７、第２シート部分７０９、第３シート部分７１１、第４シート部分７１３及びベースシート第２部分７０５ｂを備えている。
【０１８２】
第７実施形態に従う第１清掃シート部分７０１は、第１実施形態に従う清掃シート１と概ね同様であり、把持部形成用シート第１部分１１ａ及び把持部形成用シート第２部分１１ｂを有しない点で、第１実施形態に従う清掃シート１と異なる。
また、第７実施形態に従う第１清掃シート部分７０１では、ベースシート第１部分７０５ａ及びベースシート第２部分７０５ｂから構成されるベースシート７０５が、第１シート部分７０７〜第４シート部分７１３よりも、直交方向ＤCの長さが短く、そして第１方向Ｄ1の両端に、ハンディ用清掃具７５１の清掃シート取付部７５３の挿入を容易にする第１導入部７３１を備えている点で、第１実施形態に従う清掃シート１と異なる。
第１導入部７３１は、ハンディ用清掃具７５１の突起部７５７を挿入するための第１スリット部７３５を備えている。
【０１８３】
第２清掃シート部分７０３は、第３ベースシート部分（図示せず）、第５シート部分７２３、第６シート部分７２５、第７シート部分７２７、第８シート部分７２９及び第４ベースシート部分（図示せず）を備えている。第２清掃シート部分７０３は、第１清掃シート部分７０１と同一の構造を有するため、説明を省略する。
【０１８４】
清掃シート１は、以下の通り形成される。
第１清掃シート部分７０１及び第２清掃シート部分７０３を、ベースシート第１部分７０５ａ及びベースシート第２部分７０５ｂが、それぞれ、第４ベースシート部分（図示せず）及び第３ベースシート部分（図示せず）が向かい合うように重ね合わせる。
次いで、第１清掃シート部分７０１及び第２清掃シート部分７０３の間に、ハンディ用清掃具７５１が清掃シート１を把持するための把持部７３９を形成するように、ベースシート第１部分７０５ａ及び第４ベースシート部分（図示せず）を接合し、そしてベースシート第２部分７０５ｂ及び第３ベースシート部分（図示せず）を接合する。
【０１８５】
第７実施形態に従う清掃シート１は、第２方向Ｄ2における方向性なく、清掃することができる。
第７実施形態に従う清掃シート１は、その他の部分については、第１実施形態に従う清掃シート１と同様であるため、説明を省略する。
【０１８６】
本開示の清掃シートは、複数のシート部分に着色を施すことにより、美観に優れる。
＜＜第８実施形態＞＞
図２７は、本開示の別の実施形態（以下、「第８実施形態」と称する）に従う清掃シート１を説明するための図である。具体的には、図２７は、ハンディ用清掃具２５１に取り付けられた、展開状態における清掃シート１の正面図である。
第８実施形態に従う清掃シート１は、概ね、第１実施形態に従う清掃シート１と同様であることから、異なる点のみ説明する。
【０１８７】
第８実施形態に従う清掃シート１では、第２シート部分３１及び第３シート部分５１のそれぞれが、青色を有するメッシュシートと、白色を有する、熱融着性繊維及び保水性繊維を含むスパンレース不織布との積層物から構成されている。メッシュシートは、第２シート部分３１及び第３シート部分５１のそれぞれの内面を構成し、そしてスパンレース不織布は、第２シート部分３１及び第３シート部分５１のそれぞれの外面を構成している。
なお、第１シート部分２１及び第４シート部分６１のそれぞれは、白色を有する、熱融着性繊維及び保水性繊維を含むスパンレース不織布から構成されている。
【０１８８】
従って、第８実施形態に従う清掃シート１では、角度の関係で、固定端連結部７１に近いほど青色が相対的に濃く見え、固定端連結部７１から遠い（自由端連結部に近い）ほど青色が相対的に薄く見える傾向があるため、美観に優れる。
第８実施形態に従う清掃シート１は、その他の部分については、第１実施形態に従う清掃シート１と同様であるため、説明を省略する。
【０１８９】
本開示の清掃シートは、第１方向と、第１方向の周方向を構成する第２方向とを備えている。第１方向及び第２方向については、上述の通りである。
なお、本開示の清掃シートは、第１方向の周方向を構成する第２方向を備えているが、このことは、展開状態における清掃シートの、第１方向と直交する直交断面が、第２方向に沿って、円弧形状を有すること（例えば、上記直交断面が、円、扇形等であること）を意味するものではない。
展開状態における本開示の清掃シートは、第２方向に沿って、例えば、湾曲形状（例えば、円弧、楕円弧）、直線形状、それらの任意の組み合わせ等であることができる。
【０１９０】
本開示の清掃シートは、一又は複数の清掃シート部分を含むことができる。一又は複数の清掃シート部分のそれぞれは、ベースシート部分と、複数のシート部分とを備えている。
本開示の清掃シートが、複数の清掃シート部分を含む場合には、上記清掃シートは、複数の清掃シート部分を、任意の形態で含むことができる。上記清掃シートは、例えば、第１方向、直交方向等に、連続して又は所定の距離離間して配置された複数の清掃シート部分を含むことができる。この場合には、清掃シートは、例えば、複数の清掃シート部分が、複数の清掃シート部分のそれぞれのベースシート部分を、別体のシート（例えば、把持用シート）等に、連続して又は所定距離離間させて連結させたものであってもよく、そして複数の清掃シート部分のベースシート部分が連結している、例えば、複数の清掃シート部分のベースシート部分が一体のシートから構成されているものであってもよい。
【０１９１】
当該清掃シートの複数の清掃シート部分は、例えば、片面清掃型のフロア用清掃具の片面の清掃面に配置されることができ、そして両面清掃型のフロア用清掃具の両面の清掃面に配置されることができる。
【０１９２】
また、上記清掃シートは、例えば、第２方向に連続して、又は所定の距離離間して配置された複数の清掃シート部分を備えていることができる。この場合には、上記清掃シートは、例えば、複数の清掃シート部分を、複数の清掃シート部分のベースシート部分同士が向かい合うように連結させたものであることができる。
【０１９３】
例えば、清掃シートが、以下の２つの清掃シート部分を含むとともに、２つの清掃シート部分が、展開状態において、計３６０°の清掃シート部分角度（例えば、２つの清掃シート部分のそれぞれが１８０°の清掃シート部分角度）を有する場合には、清掃シートは、以下のように形成されうる。
・第１清掃シート部分（ベースシート第１部分及び複数の第１シート部分を含む）
・第２清掃シート部分（ベースシート第２部分及び複数の第２シート部分を含む）
【０１９４】
第１清掃シート部分及び第２清掃シート部分を、ベースシート第１部分と、ベースシート第２部分とを向かい合わせるように連結する（例えば、ベースシート第１部分と、ベースシート第２部分とを連結する、第１シート部分と、第２シート部分とを連結する）。
上記連結としては、例えば、接着剤、熱融着性繊維の融着等が挙げられる。
【０１９５】
また、清掃シートが、以下の３つの清掃シート部分を含むとともに、展開状態において、３つの清掃シート部分が、計３６０°の清掃シート部分角度（例えば、３つの清掃シート部分のそれぞれが１２０°の清掃シート部分角度）を有する場合には、清掃シートは、以下のように形成されうる。
・第１清掃シート部分（ベースシート第１部分及び複数の第１シート部分を含む）
・第２清掃シート部分（ベースシート第２部分及び複数の第２シート部分を含む）
・第３清掃シート部分（第３ベースシート部分及び複数の第３シート部分を含む）
【０１９６】
第１清掃シート部分〜第３清掃シート部分を、ベースシート第１部分と、ベースシート第２部分と、第３ベースシート部分とを向かい合わせる（例えば、ベースシート第１部分の一部分と、ベースシート第２部分の一部分とを向かい合わせ、ベースシート第１部分の残余部分と、第３ベースシート部分の一部分とを向かい合わせ、ベースシート第２部分の残余部分と、第３ベースシート部分の残余部分とを向かい合わせる）ように連結する。
上記一部分及び残余部分としては、ベースシート第１部分〜第３ベースシート部分のそれぞれの、一体化固定端部によりなされる区画が挙げられる。
上記連結としては、例えば、接着剤、熱融着性繊維の融着等が挙げられる。
【０１９７】
上記複数のシート部分のそれぞれは、第１方向に沿う方向に延びているとともに、固定端部と、自由端部とを備えている。なお、固定端部及び自由端部の区画については、上述の通りである。
【０１９８】
上記複数のシート部分のそれぞれの固定端部は、第１方向に沿う方向に延びている、好ましくは第１方向と平行な方向に延びている固定端連結部により、ベースシート部分に連結されている。上記固定端連結部には、接着剤による接着部、熱融着性繊維による融着部、連続するシート部分の折返し部等が含まれる。上記固定端連結部は、固定端部に沿う方向に延びていれば、間欠的であっても、連続的であってもよい。
【０１９９】
複数のシート部分は、複数のシート部分のそれぞれの固定端部が、単体としてベースシートに連結されていてもよく、そして複数のシート部分の少なくとも一部（好ましくは４０％以上、より好ましくは６０％以上、さらに好ましくは７０％以上、さらにいっそう好ましくは８０％以上、さらにいっそう好ましくは９０％以上、そしてさらにいっそう好ましくは１００％の枚数）の固定端部が一体化された一体化固定端部が、ベースシート部分に連結されていてもよい。シート部分の固定端部が単体としてベースシートに連結されることにより、ベースシート部分、及び清掃シートが硬くなることを抑制することができ、そして一体化固定端部を形成することにより、ベースシート部分の一体化固定端と連結していない部分が柔らかさに優れ、清掃シートが、被清掃面に応じて変形しやすくなり、被清掃面を傷つけにくくなる。
【０２００】
上記複数のシート部分の少なくとも一部、好ましくは４０％以上、より好ましくは６０％以上、さらに好ましくは７０％以上、さらにいっそう好ましくは８０％以上、さらにいっそう好ましくは９０％以上、そしてさらにいっそう好ましくは１００％の枚数の自由端部が、第２方向に往復しながら第１方向に沿う方向に延びているとともに、複数の自由端連結部分を含む自由端連結部により、複数のシート部分のうち、第２方向に隣接するシート部分に部分的に連結されている。被清掃面の清掃性の観点からである。
【０２０１】
文字式を用いると、本開示の清掃シートでは、「第ｎ自由端連結部」と、第ｎ自由端連結部と第２方向に隣接する「第（ｎ＋１）自由端連結部」との間において、第ｎ自由端連結部を構成する、複数の第ｎ自由端連結部分の好ましくは少なくとも一部（より好ましくは４０％以上、さらに好ましくは６０％以上、例えば、第１方向の両端を除く全部）と、第（ｎ＋１）自由端連結部を構成する、複数の第（ｎ＋１）自由端連結部分の好ましくは少なくとも一部（より好ましくは４０％以上、さらに好ましくは６０％以上、例えば、第１方向の両端を除く全部）とが、第２方向に重複する位置に配置されていない。展開状態における清掃シートにおいて、複数のシート部分に往復構造を形成しやすくする観点からである。
【０２０２】
なお、上記「第２方向に重複する位置」は、シート部分を構成する構成部材を間に挟んで向かい合う両面のうち、厚さ方向に重複する位置を意味する。
従って、対象となるシート部分が、折返し構造を有しないフラットな場合には、上記「第２方向に重複する位置」は、その字句通りに解釈する。
【０２０３】
一方、対象となるシート部分が、折返し構造を有する場合には、複数の第ｎ自由端連結部分と、複数の第（ｎ＋１）自由端連結部分とは、対象となるシート部分を構成する構成部材を間に挟んで向かい合う両面のうち、厚さ方向に重複する位置でなければ、厚さ方向に重複しているとはせず、除外する。展開状態における清掃シートにおいて、対象となるシート部分の往復構造の形成に寄与しうるからである。
【０２０４】
例えば、対象となるシート部分が、複数のΩ構造（Ω1構造及びΩ2構造）を有する場合に、複数の第ｎ自由端連結部分の１つが、Ω1構造の第１頂部に配置され、そして複数の第（ｎ＋１）自由端連結部分の１つが第１底部（Ω2構造の第２頂部）に配置されていとともに、複数の第ｎ自由端連結部分の１つと、複数の第（ｎ＋１）自由端連結部分の１つとが厚さ方向に重複している場合であっても、複数の第ｎ自由端連結部分の１つと、複数の第（ｎ＋１）自由端連結部分の１つとは、「第２方向に重複する位置」に配置されているとはせず、除外する。
【０２０５】
本開示の清掃シートは、複数の第ｎ自由端連結部分の少なくとも一部から固定端部に向かって連続的又は間欠的に延びている、隣接する２枚のシート部分を連結する第ｎ補助連結部分をさらに備えていてもよい。それにより、隣接する２枚のシート部分の間に、第ｎ補助連結部分を伴って形成される往復構造を保持しやすくなる。なお、第ｎ補助連結部分を、全体として第ｎ補助連結部と称する場合がある。
第ｎ補助連結部分には、接着剤による接着部、熱融着性繊維による融着部、連続するシート部分の折返し部等が含まれる。
【０２０６】
本開示の清掃シートでは、清掃シート部分の清掃シート部分角度は任意であり、０°超且つ３６０°以下であり、好ましくは１５０°以上である。被清掃面の清掃性の観点からである。
ベースシート部分に、清掃具又は使用者が把持するための把持部用の部材をさらに備えている場合には、上記清掃シート部分角度は、１５０°以上且つ３６０°未満であることが好ましい。被清掃面の清掃性の観点からである。
また、ベースシート部分を、清掃具又は使用者が把持するための把持部として用いる場合には、上記清掃シート部分角度は、３６０°であることができる。
【０２０７】
本開示の清掃シートの清掃シート部分では、複数のシート部分の枚数は、特に制限されず、所望の清掃シート部分角度、シート部分の冗長度等によっても変わりうる。例えば、清掃シート部分角度が１８０°当たり、複数のシート部分の枚数は、例えば、３〜１２枚とすることができる。
【０２０８】
本開示の清掃シートでは、複数のシート部分の、好ましくは４０％以上、より好ましくは６０％以上、さらに好ましくは８０％以上、そしてさらにいっそう好ましくは１００％の枚数のシート部分が、第２方向一方向に突出する、複数の第１頂部であって、それらのそれぞれが第１頂面を備えているもの（Ω1構造）と、第２方向他方向に突出する複数の第２頂部であって、それらのそれぞれが第２頂面を備えているもの（Ω2構造）とを備えている。それにより、展開状態における清掃シートにおいて、該当するシート部分の往復構造の波高を大きくすることができる。
【０２０９】
また、本開示の清掃シートでは、複数のシート部分の、好ましくは４０％以上、より好ましくは６０％以上、さらに好ましくは８０％以上、そしてさらにいっそう好ましくは１００％の枚数のシート部分が、好ましくは１２０％以上、より好ましくは１５０％以上、さらに好ましくは２００％以上、そしてさらにいっそう好ましくは２５０％以上の冗長度を有する。それにより、展開状態における清掃シートにおいて、該当するシート部分の往復構造の波高を大きくすることができる。
【０２１０】
また、上述の場合において、自由端連結部を構成する複数の自由端連結部分が、上述の第１頂面及び第２頂面に配置されていることが好ましい。それにより、展開状態における清掃シートにおいて、該当するシート部分の往復構造の波高を大きくすることができる。
【０２１１】
また、上述の場合において、平面視において、複数の第１頂面の総面積が、シート部分の面積の好ましくは５０％以上且つ１００％以下、より好ましくは７０％以上且つ１００％以下、そしてさらに好ましくは９０％以上且つ１００％以下である。それにより、自由端連結部を構成する複数の自由端連結部分を第１頂面に配置する自由度が高くなるとともに、該当するシート部分の冗長度が大きくなるため、該当するシート部分の往復構造の波高を大きくすることができる。
【０２１２】
また、上述の場合において、平面視において、複数の第２頂面の総面積が、シート部分の面積の好ましくは５０％以上且つ１００％以下、より好ましくは７０％以上且つ１００％以下、そしてさらに好ましくは９０％以上且つ１００％以下である。それにより、自由端連結部を構成する複数の自由端連結部分を第２頂面に配置する自由度が高くなるとともに、該当するシート部分の冗長度が大きくなるため、該当するシート部分の往復構造の波高を大きくすることができる。
【０２１３】
本開示の清掃シートでは、上記複数のシート部分の少なくとも一部が、上記固定端連結部と平行な方向における、上記自由端部の伸長長さが、上記固定端連結部と平行な方向における、上記固定端部の長さよりも長くなるように構成される、すなわち、自由端部伸長長さ構造を有する。それにより、自由端部のみならず、固定端部及び自由端部の間の中央部も、清掃面として被清掃面を清掃することができ、清掃シートが、被清掃面の清掃性に優れる。
【０２１４】
上記自由端部伸長長さ構造としては、複数のシート部分の少なくとも一部が、折返し部（例えば、第１実施形態に示されるもの）を有するか、又は略多角形（例えば、三角形、四角形、例えば、台形、五角形）、略円形、略楕円形等の所定形状を有するものが挙げられる。
なお、複数のシート部分の少なくとも一部が、上述の所定形状を有する場合には、固定端部及び自由端部は、固定端連結部と平行な方向における、自由端部の伸長長さが、固定端連結部と平行な方向における、固定端部の長さよりも長くなるように選択される必要がある。
【０２１５】
本開示の清掃シートにおいて、複数のシート部分の少なくとも一部が上述の折返し部を有する場合には、固定端連結部と平行な方向における、自由端部の伸長長さと、固定端連結部と平行な方向における、固定端部の長さとの好ましい関係は、上述の冗長度と同一である。
【０２１６】
本開示の清掃シートにおいて、複数のシート部分の少なくとも一部が上述の所定形状を有する場合には、固定端連結部と平行な方向における、自由端部の伸長長さが、固定端連結部と平行な方向における、固定端部の長さよりも、好ましくは１．０５倍以上、より好ましくは１．１倍以上、さらに好ましくは１．２０倍以上の範囲で長く、そして好ましくは１．６０倍以下、より好ましくは１．５０倍以下、さらに好ましくは１．４５倍以下の範囲で長い。そうすることにより、清掃シートが、被清掃面の清掃性に優れる。
【０２１７】
本開示の清掃シートにおいて、複数のシート部分の少なくとも一部が上述の所定形状を有する場合には、自由端部の端部が、固定端部の端縁から所定の範囲内（具体的には、自由端部及び固定端部の距離内）にあることが好ましい。
【０２１８】
具体的には、図２９に示されるように、シート部分１０１１は、固定端部３及び自由端部５を有する。固定端部３及び自由端部５は、第１方向Ｄ1と平行であり、距離Ｒだけ離間している。固定端部３は、第１方向Ｄ1の両端に、第１端縁１０１３及び第２端縁１０１５を有し、そして自由端部５は、第１方向Ｄ1の両端に、第１端部１０１７及び第２端部１０１９を有している。また、自由端部５の第１端部１０１７は、固定端部３の第１端縁１０１３から距離Ｒの範囲内にあり、そして自由端部５の第２端部１０１９は、固定端部３の第２端縁１０１５から距離Ｒの範囲内にある。それにより、清掃シートを展開状態にした際に、シート部分１０１１が第１方向Ｄ1に幅入りした場合であっても、清掃シートの第１方向Ｄ1の両端が、その間の部分と比較して厚さ方向に突出しにくくなり、平坦面の清掃がしやすくなる。
なお、清掃シートの第１方向Ｄ1の両端が、その間の部分と比較して厚さ方向に突出する場合には、カーブ面等、非平坦面の清掃がしやすくなる。
【０２１９】
本開示の清掃シートは、ウェット型、ドライ型のいずれでもよく、そして本開示の清掃シートでは、清掃シート部分を構成するベースシート部分及び複数のシート部分は、当技術分野で用いられているシート、例えば、布帛（例えば、不織布、織布、編物）を、特に制限なく含むことができる。上記布帛は、複数の孔が配置された有孔シートであってもよく、そして孔が配置されていない無孔シートであってもよい。なお、上記有孔シートは、例えば、特開２０１７−１１８９６３号公報に記載の、ウォータージェット法、ニードルパンチ法により形成された有孔シートであることができる。
【０２２０】
また、上記ベースシート部分及び複数のシート部分は、ネットシートを含むことができる。上記ネットシートとしては、合成樹脂製の網目構造を有するものが挙げられる。また、上記ネットシートは、単独で上記ベースシート部分及び複数のシート部分を構成してもよく、そして他のシート状物、例えば、上述の布帛に貼付された状態で上記ベースシート部分及び複数のシート部分を構成することができる。換言すると、上記ベースシート部分及び複数のシート部分のそれぞれは、ネットシートと、他のシート状物（例えば、布帛）との積層物であってもよい。
上記ネットシートの積層物では、ネットシートが、ネットシートの積層物の内面又は外面を構成するように配置されることができる。
【０２２１】
上記ベースシート部分及び複数のシート部分の少なくとも一部、例えば、全部は、熱融着性繊維を含むことができる。それにより、固定端連結部、自由端連結部、所望による補助連結部を融着部から構成しやすくなる。
【０２２２】
上記熱融着性繊維としては、合成繊維、例えば、熱融着性繊維、例えば、ポリオレフィン系ポリマー、例えば、ポリエチレン若しくはポリプロピレン；ポリエステル系ポリマー、例えば、テレフタレート系ポリマー、例えば、ポリエチレンテレフタレート（ＰＥＴ），ポリブチレンテレフタレート，ポリペンチレンテレフタレート；ポリアミド系ポリマー、例えば、ナイロン６若しくはナイロン６，６；アクリル系ポリマー；ポリアクリロニトリル系ポリマー；又はそれらの変性物、あるいはそれらの組み合わせ等から形成された繊維が挙げられる。
【０２２３】
本開示の清掃シートでは、ベースシート部分及び複数のシート部分の少なくとも一部、例えば、全部は、保水性繊維を含むことができる。それにより、清掃シートが、薬液を含みやすくなる、液体の汚れを吸収しやすくなる等の作用を有する。
上記保水性繊維としては、セルロース系繊維、例えば、パルプ繊維、再生セルロース繊維、及び半合成セルロース繊維が挙げられる。上記再生セルロース繊維としては、レーヨン繊維、例えば、ビスコースから得られるビスコースレーヨン、ポリノジック及びモダール、セルロースの銅アンモニア塩溶液から得られる銅アンモニアレーヨン繊維（「キュプラ」とも称される）；有機化合物及び水の混合溶液である有機溶剤を用いた有機溶剤紡糸法によって得られ、セルロース誘導体を経ないリヨセル及びテンセル等が挙げられる。
上記半合成セルロース繊維としては、例えば、アセテート繊維、例えば、トリアセテート繊維及びジアセテート繊維が挙げられる。
【０２２４】
上記ネットシート、有孔シート及び無孔シートは、その目の粗さから、汚れの掻取性が、概ね以下の関係にある。
ネットシート＞有孔シート＞無孔シート
本開示の清掃シートが、上記ネットシート、有孔シート及び無孔シートの少なくとも２種を含む場合には、汚れの掻取性の観点から、相対的に高い掻取性を有する高掻取性シートと、相対的に低い掻取性を有する低掻取性シートとが、以下のように配置されることができる。
【０２２５】
（ｉ）清掃シート部分において、高掻取性シートを中央に（相対的に多く）配置し、低掻取性シートを端部に（相対的に多く）配置する。
清掃シート部分の中央に高掻取性シートを（相対的に多く）配置すると、清掃シートの展開状態において、高掻取性シートが被清掃面に近い位置に（相対的に多く）配置され、そして低掻取性シートがその周縁に（相対的に多く）配置されやすくなるため、高掻取性シートが汚れを落とし、そして低掻取性シートが汚れを拭き取ることができるため、清掃シートの清掃性が向上する。
【０２２６】
（ｉｉ）清掃シートを先端側領域及び基端側領域に区画した場合に、先端側領域に高掻取性シートを（相対的に多く）配置し、基端側領域に低掻取性シートを（相対的に多く）配置する。
先端側領域に高掻取性シートを（相対的に多く）配置することにより、清掃シートの先端側領域が汚れを落とし、基端側領域に低掻取性シートを（相対的に多く）配置することにより、清掃シートの基端側領域が汚れを拭き取ることができる。
上記先端側領域と、基端側領域とは、清掃シートを所定の方向（例えば、第１方向）の中央において、上記所定の方向と直交する方向（例えば、直交方向）に延びる直交線によ区画することができる。また、上記先端側領域は、使用者から相対的に遠い領域であり、そして上記基端側領域は、使用者から相対的に近い領域である。
【０２２７】
上記布帛としては、例えば、スパンレース不織布、スパンボンド不織布等が挙げられる。上記清掃シートがドライ型である場合には、複数のシート部分は、スパンレース不織布、スパンボンド不織布等を含むことができる。
【０２２８】
上記清掃シートがウェット型である場合には、ベースシート部分及び複数のシート部分は、スパンレース不織布、スパンボンド不織布等を含むことができる。また、上記清掃シートが、ウェット型である場合には、清掃シート部分の両端に配置されるシート部分が、相対的に疎水性の高い布帛である疎水性布帛（例えば、合繊繊維からなるスパンボンド不織布）から構成され、そしてそれら間に配置されるシート部分が、相対的に親水性の高い布帛である親水性布帛（例えば、熱融着性繊維及び保水性繊維を含むスパンレース不織布）から構成され、親水性布帛に薬液を含ませることができる。それにより、親水性布帛が保持する薬液が、使用時に疎水性布帛を超えにくくなり、例えば、親水性布帛が保持する薬液が疎水性布帛を超え、使用者に触れにくくなる。また、親水性布帛が保持する薬液が、疎水性布帛を超えて揮発しにくくなる。
【０２２９】
本開示の清掃シートがウェット型であるとともに、清掃シートが非展開状態を採ることができる場合には、非展開状態における清掃シートが、清掃シートを展開させるための一対の展開用把持部を備えていることが好ましい。清掃シートがウェット型である場合には、薬液により、非展開状態における清掃シートにおいて、複数のシート部分同士が貼り付き、展開させにくくなる場合があるからである。清掃シートの展開しやすさの観点から、上記一対の展開用把持部は、非展開状態における清掃シートから、清掃シートの外方（例えば、第１方向）に突出していることが好ましく、一対の展開用把持部は、所定距離だけ離間して配置されていることがより好ましく、そして一対の展開用把持部は、疎水性布帛から構成されることがさらに好ましい。
本開示の清掃シートは、当技術分野で公知のトウをさらに含むことができ、そして含まなくともよい。
【０２３０】
本開示の清掃シートは、清掃具又は使用者が清掃シートを把持するための把持部をさらに備えていることができる。上記把持部は、清掃シートの任意の位置に配置することができる。
本開示の清掃シートが、単一の清掃シート部分を備えている場合であって、例えば、清掃シート部分角度が３６０°未満のときには、ベースシート部分の、複数のシート部分と反対側の面に把持部を有することができる。上記把持部は、例えば、ベースシート部分に、追加のシート状部材、例えば、把持部形成用シートを連結、例えば、融着することにより形成されうる。
【０２３１】
本開示の清掃シートが、単一の清掃シート部分を備えている場合であって、清掃シート部分角度が３６０°の場合には、ベースシート部分の、お互いに向かい合う部分の間に上記把持部を形成することができる。上記お互いに向かい合う部分としては、例えば、固定端部が、複数のシート部分の固定端部が一体化された一体化固定端部から構成されているとともに、一体化固定端部が、ベースシート部分に連結されている場合に、ベースシート部分が一体化固定端部により区画された、ベースシート第１部分と、ベースシート第２部分とが挙げられる。
【０２３２】
また、上記把持部は、ベースシート部分及び複数のシート部分とのうち、隣接する２枚のシート部分の間に形成されることができる。上記把持部は、例えば、ベースシート部分と、ベースシート部分に隣接するシート部分との間、２つの隣接するシート部分の間等の、例えば、中央部に形成されることができる。
【０２３３】
また、上記把持部は、単一の把持部から構成されていてもよく、そして複数の把持部分から構成されていてもよい。例えば、２つの把持部分に、清掃具の、二股に分かれた清掃シート取付部を挿入することにより、又は２つの把持部分に、使用者の親指と、人差し指から小指までとを挿入することにより、清掃シートが清掃具又は使用者の手からずれることを抑制することができる。上記２つの把持部分としては、例えば、固定端連結部を間に挟んだ、一対の把持部分が挙げられる。
【０２３４】
本開示の清掃シートが、複数の清掃シート部分を備えている場合には、本開示の清掃シートが、単一の清掃シート部分を備えている場合の把持部に加えて、複数の清掃シート部分の間の部分（例えば、複数の清掃シート部分のベースシート部分の間）に把持部を形成することができる。
【０２３５】
本開示の清掃シートが把持部を備えている場合には、当該把持部は、任意の方向に延びていることができ、清掃具又は使用者の把持しやすさの観点からは、把持部が、第１方向に開口している挿入口部を備えているとともに、第１方向と沿う方向に延びていることが好ましい。
また、上記挿入口部が、第１方向に延出している延出部、例えば、複数のシート部分から第１方向に遠ざかるように延出している延出部を備えていることが好ましい。それにより、使用者が、清掃具を把持部に差し込みやすくなり、そして使用者が、身体の一部を把持部に差し込みやすくなる。
【０２３６】
本開示の清掃シートは、非展開状態を採らなくても、そして非展開状態を採ることができてもよく、そして非展開状態を採ることができることが好ましい。それにより、使用前又は使用後に清掃シートをコンパクト化することができる。
上記非展開状態における清掃シートとしては、清掃シートの清掃シート部分において、ベースシート部分が、複数のシート部分を間に挟んで折り畳まれたものが挙げられる。
【０２３７】
本開示の別の態様に従う清掃シートでは、複数のシート部分の少なくとも一部の自由端部が、自由端連結部により、複数のシート部分のうち、第２方向に隣接するシート部分の自由端部に連結されているとともに、往復構造を有する。それにより、清掃シートが、被清掃面の清掃性に優れる。
また、上記清掃シートでは、自由端連結部により連結されている２つのシート部分が、お互いに異なる往復構造を有する。それにより、展開状態における清掃シートが、新領域露出性に優れ、被清掃面の清掃性に優れる。
【符号の説明】
【０２３８】
１    清掃シート
３    固定端部
５    自由端部
７    中央部
９    積層構造
１１ａ    把持部形成用シート第１部分
１１ｂ    把持部形成用シート第２部分
１３ａ    ベースシート第１部分
１３ｂ    ベースシート第２部分
１５    把持部用融着部
１７    清掃シート部分
２１    第１シート部分
３１    第２シート部分
５１    第３シート部分
６１    第４シート部分
７１    固定端連結部
７３    自由端連結部
８５    展開用把持部
９１    把持部
９３    第１往復構造
９５    第２往復構造
９７    第３往復構造
９９    第４往復構造
Ｄ1    第１方向
Ｄ11    第１方向一方向
Ｄ12    第１方向他方向
ＤC    直交方向
ＤC1    直交方向一方向
ＤC2    直交方向他方向
Ｄ2    第２方向
Ｄ21    第２方向一方向
Ｄ22    第２方向他方向
Ｔ    厚さ方向
Ｔ1    厚さ方向一方向
Ｔ2    厚さ方向他方向
【図１】
2020146443.tif 000003
【図２】
2020146443.tif 000004
【図３】
2020146443.tif 000005
【図４】
2020146443.tif 000006
【図５】
2020146443.tif 000007
【図６】
2020146443.tif 000008
【図７】
2020146443.tif 000009
【図８】
2020146443.tif 000010
【図９】
2020146443.tif 000011
【図１０】
2020146443.tif 000012
【図１１】
2020146443.tif 000013
【図１２】
2020146443.tif 000014
【図１３】
2020146443.tif 000015
【図１４】
2020146443.tif 000016
【図１５】
2020146443.tif 000017
【図１６】
2020146443.tif 000018
【図１７】
2020146443.tif 000019
【図１８】
2020146443.tif 000020
【図１９】
2020146443.tif 000021
【図２０】
2020146443.tif 000022
【図２１】
2020146443.tif 000023
【図２２】
2020146443.tif 000024
【図２３】
2020146443.tif 000025
【図２４】
2020146443.tif 000026
【図２５】
2020146443.tif 000027
【図２６】
2020146443.tif 000028
【図２７】
2020146443.tif 000029
【図２８】
2020146443.tif 000030
【図２９】
2020146443.tif 000031